(57)【特許請求の範囲】
【請求項１】
遊技球が流下する遊技領域と該遊技領域に遊技球を誘導するための発射球誘導通路とが形成された遊技盤と、
前記発射球誘導通路内に向けて遊技球を発射する発射手段と、
前記発射手段により発射されたにもかかわらず、前記遊技領域に到達せず前記発射球誘導通路を逆流するファール球が流入可能なファール球入球手段と、
前記ファール球入球手段へのファール球の入球を検知するファール球入球検知手段と、
前記ファール球入球手段への入球が検知された際に、賞球を払い出す払出手段と、
前記ファール球入球検知手段の検知結果に基づいて所定数の賞球を払い出すように前記払出手段を制御する制御手段と、を備え、
前記ファール球入球手段は、前記遊技盤を貫通するように該遊技盤に設けられ、
前記制御手段は、前記遊技盤の背面側に設けられ、  
遊技機は、ファール球入球手段にファール球が入球した際には、該ファール球を返却せず、前記払出手段から賞球を１球払い出すように前記制御手段によって制御可能であることを特徴とする遊技機。
【発明の詳細な説明】
【技術分野】
【０００１】
本発明は、遊技球を使用して遊技をするパチンコ機等の遊技機に関する。
【背景技術】
【０００２】
従来、遊技機の一種であるパチンコ機には、遊技球が流下する遊技領域が前面側に設けられている。遊技球は、遊技者の発射操作に基づいて発射レール上から発射され、誘導通路を形成するレール部材により遊技領域の上部に誘導される。遊技球が遊技領域内に設けられた各種入賞口に入球すると、所定の個数の遊技球（賞球）が払出装置から受け皿に払い出される。
【０００３】
遊技中には、発射された遊技球が遊技領域まで到達せずに誘導通路を逆流することがある。逆流した遊技球や誘導通路まで届かなかった遊技球（以下、これらをファール球という）は、誘導通路と発射レールの間のファール球回収口により回収され受け皿に戻されて、遊技者に返却される。ここで、パチンコ機には、貯留された遊技球を遊技球発射機構側に自然に流れるように導く上皿と、上皿から余剰となった遊技球を移動させて貯留できる下皿の２つが設けられているものがある。このようなパチンコ機では、払出装置からの賞球は基本的に上皿に払い出され、ファール球は下皿に戻されるように構成されている。
【０００４】
ファール球が下皿に戻される理由としては、迫力ある演出のために遊技盤の遊技領域を大きくすると必然的にファール球回収口が下方に下がるため、その位置的な関係により上方の上皿に戻すことが困難であることが挙げられる。また、ファール球を下皿に戻すことにより、上皿に払い出される賞球に紛れることがないので、遊技者がファール球の返却を確認しやすいという効果もある。さらに、遊技終了時、上皿用の球抜きボタンを操作しても遊技球発射機構側に誘導されて返却されない遊技球を、ファール球回収口から下皿に戻すことによって、遊技者が回収しやすくすることなどが挙げられる。しかし、下皿に戻されたファール球を再度発射させるためには、発射操作をしていない片方の手で上皿に移す必要があり、遊技者にとって煩わしいものであった。そのため、ファール球を下皿から上皿に移す必要のない遊技機が提案されている。
【０００５】
例えば、特許文献１の特開平７−８０１４１号の「弾球遊技機」は、球タンクと、この球タンク内に貯留されたパチンコ球が流下する導出樋と、この導出樋を流下するパチンコ球を１球づつ払い出すことができる球払出装置と、この球払出装置から払い出されたパチンコ球が流下する流下樋と、この流下樋の下端から分岐して下方に延びた払出樋および回収樋と、払出樋の途中の樋内部に開口した上皿払出口と、回収樋の下端に設けられ、回収樋を流下するパチンコ球を遊技機の外部に排出するための球出口と、遊技盤の下方で上方に開口したファール孔とを有した弾球遊技機において、上記弾球遊技機は、上記ファール孔から延びて上記回収樋の途中に接続され、ファール孔に投入されたファール球を上記球出口に導くファール樋と、このファール樋の途中に設けられ、ファール樋を流下するファール球を検出して検出信号を出力するファール球検出器と、このファール球検出器からの検出信号を入力するたびに、パチンコ球を１球づつ流下樋に払い出すための制御信号を上記球払出装置に出力する払出装置制御回路とを備えたことを特徴とする。
【先行技術文献】
【特許文献】
【０００６】
【特許文献１】特開平７−８０１４１号公報
【発明の概要】
【発明が解決しようとする課題】
【０００７】
特許文献１の「弾球遊技機」は、ファール球を検出しながら遊技機の外部に排出し、検出のたびに別の遊技球を球払出装置から上皿に払い出すものである。ファール球に代わる遊技球が上皿に払い出されるので、ファール球を下皿から上皿に移す手間を省くことができる。しかしながら、ファール球を回収するファール孔及び回収されたファール球を検出するファール球検出器がそれぞれ遊技盤の下方に設けられている。そのため、ファール球検出器と接続される払出装置制御回路（主制御装置）が遊技盤の背面側に設置されている場合には、これらの接続が複雑になるという問題があった。
【０００８】
本発明は、上述した問題を解決するために創案されたものである。すなわち本発明の目的は、ファール球が入賞すると賞球１個を払い出すファール球入賞口を遊技盤に設けることにより、遊技盤の背面側に設置される主制御装置との接続を容易に行うことができる遊技機を提供することにある。
【課題を解決するための手段】
【０００９】
本発明の遊技機は、
遊技球が流下する遊技領域と該遊技領域に遊技球を誘導するための発射球誘導通路とが形成された遊技盤と、
前記発射球誘導通路内に向けて遊技球を発射する発射手段と、
前記発射手段により発射されたにもかかわらず、前記遊技領域に到達せず前記発射球誘導通路を逆流するファール球が流入可能なファール球入球手段と、
前記ファール球入球手段へのファール球の入球を検知するファール球入球検知手段と、
前記ファール球入球手段への入球が検知された際に、賞球を払い出す払出手段と、
前記ファール球入球検知手段の検知結果に基づいて所定数の賞球を払い出すように前記払出手段を制御する制御手段と、を備え、
前記ファール球入球手段は、前記遊技盤を貫通するように該遊技盤に設けられ、
前記制御手段は、前記遊技盤の背面側に設けられ、
遊技機は、ファール球入球手段にファール球が入球した際には、該ファール球を返却せず、前記払出手段から賞球を１球払い出すように前記制御手段によって制御可能であることを特徴とする。
【発明の効果】
【００１０】
上記遊技機によれば、ファール球入賞口を遊技盤自体に設けることにより、ファール球入球検知手段を遊技盤の背面側に設けることができ、遊技盤の背面側に設置される主制御装置（制御手段）と容易に接続できる。
【図面の簡単な説明】
【００１１】
【図１】一実施の形態におけるパチンコ機を示す斜視図である。
【図２】パチンコ機の主要な構成を展開して示す斜視図である。
【図３】パチンコ機の主要な構成を展開して示す斜視図である。
【図４】パチンコ機の構成を示す背面図である。
【図５】遊技機ベースユニットの構成を示す正面図である。
【図６】遊技盤の構成を示す正面図である。
【図７】遊技機ベースユニットの構成を示す背面図である。
【図８】遊技機前面ユニットの構成を示す背面図である。
【図９】裏パックユニットの構成を示す正面図である。
【図１０】裏パックユニットの構成を示す分解斜視図である。
【図１１】上下通路ユニットの構成を示す斜視図である。
【図１２】上下通路ユニットの構成を示す分解斜視図である。
【図１３】上下通路ユニットの構成を示す分解斜視図である。
【図１４】上下通路ユニットに形成された通路の一部の構成を説明するための説明図である。
【図１５】払出装置の構成を示す分解斜視図である。
【図１６】遊技球の払い出しに関する通路構成を説明するための説明図である。
【図１７】遊技球の払い出しに関する通路構成を説明するための説明図である。
【図１８】前面側通路ユニットの構成を示す斜視図である。
【図１９】前面側通路ユニットの構成を示す分解斜視図である。
【図２０】前面側通路ユニットの構成を示す正面図である。
【図２１】ファール球入賞口を示す説明図である。
【図２２】ファール球入賞口の変形例を示す正面図である。
【図２３】パチンコ機の電気的構成を示すブロック図である。
【図２４】主制御回路のＣＰＵによるＮＭＩ割込み処理を示すフローチャートである。
【図２５】タイマ割込み処理を示すフローチャートである。
【図２６】メイン処理を示すフローチャートである。
【図２７】通常処理を示すフローチャートである。
【図２８】払出制御基板のＣＰＵによる入力時割込み処理を示すフローチャートである。
【図２９】メイン処理を示すフローチャートである。
【図３０】タイマ割込み処理を示すフローチャートである。
【図３１】コマンド判定処理を示すフローチャートである。
【実施例１】
【００１２】
以下、本発明の好ましい実施の形態を、図面を参照して説明する。
図１はパチンコ機１０の斜視図である。図２及び図３はパチンコ機１０の主要な構成を展開して示す斜視図である。図４はパチンコ機１０の背面図である。なお、図２では便宜上パチンコ機１０の遊技領域６１ａ（図６参照）内の構成を省略している。
【００１３】
パチンコ機１０は、当該パチンコ機１０の外殻を形成する外枠１１と、この外枠１１に対して前方に回動可能に取り付けられた遊技機主部２１とを有する。
【００１４】
外枠１１は、板材１２〜１５を四辺に連結し構成されるものであって矩形枠状をなしている。外枠１１を構成する板材１２〜１５は、左右の板材１２，１３がアルミなどの金属製となっており、上下の板材１４，１５が木製となっている。パチンコ機１０は、外枠１１の上下の板材１４，１５を島設備に取り付け固定することにより、遊技ホールに設置される。上記のように左右の板材１２，１３を金属製とするとともに上下の板材１４，１５を木製とすることで、島設備への固定を可能としつつ外枠１１の補強を行うことができる。なお、外枠１１の構成は上記のものに限定されることはなく、全ての板材１２〜１５を木製としてもよく、全ての板材１２〜１５を金属製としてもよい。また、板材１２〜１５の全部又は一部を合成樹脂製としてもよい。また、パチンコ機１０が外枠１１を備える構成としたが、パチンコ機１０は外枠１１を備えずに遊技機主部２１のみを備える構成としてもよい。
【００１５】
外枠１１の左側の板材１２には、その上下の各端部に支持金具１７，１８が取り付けられている。これら支持金具１７，１８に支持させるようにして、図２及び図３に示すように、遊技機主部２１が外枠１１に対して回動可能に取り付けられている。
【００１６】
遊技機主部２１は、遊技機ベースユニット（本体枠又は内枠）２２と、その遊技機ベースユニット２２の前方に配置される遊技機前面ユニット（前面扉又は前枠）２３と、遊技機ベースユニット２２の後方に配置される裏パックユニット２４とを備えている。遊技機主部２１のうち遊技機ベースユニット２２が外枠１１に対して回動可能に支持されている。詳細には、正面視で左側を回動基端（開閉基端）側とし右側を回動先端（開閉先端）側として遊技機ベースユニット２２が前方へ回動可能（開閉可能）とされている。
【００１７】
遊技機ベースユニット２２は、図２及び図３に示すように、外枠１１の開口全体を覆う大きさを有しており、その背面側であって回動先端側には施錠装置３１が取り付けられている。施錠装置３１は長尺状の連動杆３２を備えており、当該連動杆３２には上下一対の鉤金具３３が設けられている。外枠１１に対して遊技機ベースユニット２２を閉鎖した際には、鉤金具３３が外枠１１の右側の板材１３に設けられた受け金具３４に係止され、施錠装置３１により施錠状態とされるようになっている。また、遊技機ベースユニット２２にはシリンダ錠３５が設けられており、シリンダ錠３５の操作によって連動杆３２を上方向又は下方向のうち予め定められた方向に移動させると、外枠１１に対する遊技機ベースユニット２２の施錠状態が解除される。
【００１８】
遊技機ベースユニット２２には、図２に示すように、遊技機前面ユニット２３が回動可能に支持されており、正面視で左側を回動基端（開閉基端）側とし右側を回動先端（開閉先端）側として前方へ回動可能（開閉可能）とされている。また、遊技機ベースユニット２２には、図３に示すように、裏パックユニット２４が回動可能に支持されており、正面視で左側を回動基端（開閉基端）側とし右側を回動先端（開閉先端）側として後方へ回動可能（開閉可能）とされている。
【００１９】
次に、遊技機ベースユニット２２、遊技機前面ユニット２３及び裏パックユニット２４のそれぞれについて詳細に説明する。
【００２０】
＜遊技機ベースユニット２２＞
先ず、遊技機ベースユニット２２の構成について詳細に説明する。図５は遊技機ベースユニット２２の正面図である。図６は遊技機ベースユニット２２に搭載された遊技盤６１の正面図である。図７は遊技機ベースユニット２２の背面図である。なお、図５では便宜上パチンコ機１０の遊技領域６１ａ内の構成を省略している。
【００２１】
遊技機ベースユニット２２は、外形が外枠１１とほぼ同一形状をなす樹脂ベース４１を主体に構成されている。樹脂ベース４１の中央部には略楕円形状の窓孔５１が形成されている。樹脂ベース４１にはその後方から遊技盤６１が着脱可能に取り付けられている（図３参照）。詳細には、樹脂ベース４１の裏面には、図７に示すように、複数（本実施の形態では４箇所）の固定金具５２〜５５が設けられており、これら固定金具５２〜５５によって遊技盤６１は後方へ脱落しないように固定されている。固定金具５２〜５５は手動で回動操作することができ、固定位置（ロック位置）と固定解除位置（アンロック位置）とに切り換えることができるよう構成されている。
【００２２】
遊技盤６１は合板よりなり、遊技球が流下する遊技領域６１ａ（図６参照）が前面側に形成されており、この遊技領域６１ａが樹脂ベース４１の窓孔５１を通じて遊技機ベースユニット２２の前面側に露出した状態となっている。
【００２３】
ここで、遊技盤６１の構成を図６に基づいて説明する。遊技盤６１には、ルータ加工が施されることによって前後方向に貫通する大小複数の開口部が形成されている。各開口部には一般入賞口６２、可変入賞装置６３、上作動口６４、下作動口６５、本発明の特徴であるファール球入賞口４０１、スルーゲート６６及び可変表示ユニット６７等がそれぞれ設けられている。このうち、可変入賞装置６３、上作動口６４、下作動口６５及び可変表示ユニット６７は、遊技盤６１の左右方向の中央において上下方向に並べて設けられており、上から可変表示ユニット６７、上作動口６４、下作動口６５及び可変入賞装置６３の順となっている。また、一般入賞口６２は、遊技盤６１の下部において、左側に２個及び右側に２個の合計４個設けられている。ファール球入賞口４０１は、遊技盤６１の左下端部において、遊技領域６１ａよりも外側に１個設けられている。ちなみに、遊技盤６１の左側は遊技機前面ユニット２３の回動基端側に相当し、遊技盤６１の右側は遊技機前面ユニット２３の回動先端側に相当する。
【００２４】
一般入賞口６２、可変入賞装置６３、上作動口６４及び、下作動口６５及びファール球入賞口４０１に遊技球が入球（入賞）すると、それが検知スイッチ後述する各入賞検知センサ３２５〜３２８及びファール球入賞検知センサ４７０（図２３参照）により検知され、その検知結果に基づいて所定数の賞球の払い出しが実行される。具体的には、一般入賞口６２に一の遊技球が入球すると単位遊技球数として１０個の遊技球が払い出され、可変入賞装置６３に一の遊技球が入球すると単位遊技球数として１５個の遊技球が払い出され、上作動口６４に一の遊技球が入球すると単位遊技球数として３個の遊技球が払い出され、下作動口６５に一の遊技球が入球すると単位遊技球数として４個の遊技球が払い出され、ファール球入賞口４０１に一の遊技球が入球すると単位遊技球数として１個の遊技球が払い出される。
【００２５】
その他に、遊技盤６１の遊技領域６１ａの最下部にはアウト口６８が設けられており、各種入賞口等に入らなかった遊技球はアウト口６８を通って遊技領域６１ａから排出される。また、遊技盤６１には、遊技球の落下方向を適宜分散、調整等するために多数の遊技釘６９が植設されていると共に、風車等の各種部材（役物）が配設されている。
【００２６】
可変表示ユニット６７には、いずれかの作動口６４，６５への入賞をトリガとして図柄を可変表示する図柄表示装置７１が設けられている。また、可変表示ユニット６７には、図柄表示装置７１を囲むようにしてセンターフレーム７２が配設されている。センターフレーム７２の上部には、第１特定ランプ部７３及び第２特定ランプ部７４が設けられている。また、センターフレーム７２の上部及び下部にはそれぞれ保留ランプ部７５，７６が設けられている。下側の保留ランプ部７５は、図柄表示装置７１及び第１特定ランプ部７３に対応しており、遊技球が作動口６４，６５を通過した回数は最大４回まで保留され保留ランプ部７５の点灯によってその保留個数が表示されるようになっている。上側の保留ランプ部７６は、第２特定ランプ部７４に対応しており、遊技球がスルーゲート６６を通過した回数は最大４回まで保留され保留ランプ部７６の点灯によってその保留個数が表示されるようになっている。
【００２７】
図柄表示装置７１は、液晶ディスプレイを備えた液晶表示装置として構成されており、後述する表示制御装置により表示内容が制御される。図柄表示装置７１には、例えば左、中及び右に並べて図柄が表示され、これらの図柄が上下方向にスクロールされるようにして変動表示されるようになっている。そして、予め設定されている有効ライン上に所定の組合せの図柄が停止表示された場合には、特別遊技状態（以下、大当たりという）が発生することとなる。なお、図柄表示装置７１は、ＣＲＴ，ドットマトリックス，７セグメント等その他のタイプにより表示画面を構成したものであってもよい。
【００２８】
第１特定ランプ部７３では、作動口６４への入賞をトリガとして所定の順序で発光色の切り替えが行われ、予め定められた色で停止表示された場合には大当たりが発生する。また、第２特定ランプ部７４では、遊技球のスルーゲート６６の通過をトリガとして所定の順序で発光色の切り替えが行われ、予め定められた色で停止表示された場合には下作動口６５に付随する電動役物６５ａが所定時間だけ開放状態となる。
【００２９】
ちなみに、下作動口６５は、開閉手段としての電動役物６５ａが開放状態の場合に入球が可能となり、閉鎖状態の場合に入球が不可となる。なお、これに限定されることはなく、電動役物６５ａが開放状態の場合に入球し易くなり、閉鎖状態の場合に入球しがたくなる構成としてもよい。
【００３０】
可変入賞装置６３は、開閉手段としての開閉扉６３ａが通常は遊技球が入球できない又は入球しがたい閉鎖状態になっており、大当たりの際に遊技球が入球しやすい所定の開放状態に切り換えられるようになっている。可変入賞装置６３の開放態様としては、所定時間（例えば３０秒間）の経過又は所定個数（例えば１０個）の入賞を１ラウンドとして、複数ラウンド（例えば１５ラウンド）を上限として可変入賞装置６３が繰り返し開放されるものが一般的である。
【００３１】
遊技盤６１には、正面視において略円弧状の内レール７７及び外レール７８が取り付けられており、これらの一部は、遊技盤６１の左側において内と外に略並行するように設けられている。内レール７７及び外レール７８は、遊技盤６１の中央部に遊技領域６１ａを区画形成すると共に、これらが略並行する部分（以下、内誘導レール部７７ａ及び外誘導レール部７８ａという）により遊技領域６１ａの外側に、その外縁部に沿う略Ｃ字状の発射球誘導通路６１ｐ（図６参照）を形成している。後述する遊技球発射機構８０から発射された遊技球は、この誘導レール部７７ａ，７８ａにより、発射球誘導通路６１ｐを通り遊技領域６１ａの上方まで誘導される。外誘導レール部７８ａの遊技球発射機構８０側である下端部においては、発射された遊技球が発射球誘導通路６１ｐ内に入りやすいように、また、発射球誘導通路６１ｐを逆流してきたファール球が後述するファール球回収口１５０（図５参照）に流れ込みやすくするために、外誘導レール部７８ａは下端側に向かって徐々にその曲率が小さくなるように形成されている。ちなみに、図５に示すように、樹脂ベース４１の窓孔５１の右上部には返しゴム７９が設けられており、所定以上の勢いで発射された遊技球は返しゴム７９に当たり、遊技領域６１ａの中央寄りに跳ね返されるようになっている。この場合、返しゴム７９はその遊技球が当たる面が遊技領域６１ａの中央側に向けて傾斜させて形成されているため、遊技領域６１ａの中央に向けた遊技球の跳ね返しが良好に行われるようになっている。
【００３２】
遊技球発射機構８０は、図５に示すように、樹脂ベース４１における窓孔５１の右下方に取り付けられている。遊技球発射機構８０は、電磁式のソレノイド８１を有する発射装置８１と、発射レール８２と、球送り機構８３とからなる。遊技球は、球送り機構８３によって発射レール８２上に送り込まれる。そして、ソレノイドへの電気的な信号の入力により伸縮方向に移動する当該ソレノイドの出力軸により、発射レール８２上の発射位置から遊技領域６１ａ（発射球誘導通路６１ｐ内）に向けて打ち出される。
発射装置８１への電気的な信号の入力は、所定の条件下において、遊技機前面ユニット２３の下部に設けられた遊技球発射ハンドル８４（図１等参照）が操作されることに基づいて発生する。具体的には、後述する発射制御装置１４７は、遊技者が操作ハンドルに触れていることをタッチセンサにより検出し、かつ、遊技者が発射を停止させるための発射停止スイッチを操作していないことを条件に、遊技球発射ハンドル８４の回転操作量（回転角度）に対応してソレノイドを励磁し、回転操作量に応じた打ち出し強さ（打出強度）で遊技球を発射する。遊技者は遊技球発射ハンドル８４の回転角度を変化させることにより、ソレノイドの出力軸の移動量を制御し、所望の打出強度で遊技球を発射させることができる。
【００３３】
遊技球発射機構８０の発射レール８２及びソレノイドの出力軸は、樹脂ベース４１の左上方の発射球誘導通路６１ｐに通じるように、斜め左上がりとなるように設置されている。また、遊技球発射機構８０（発射レール８２）と発射球誘導通路６１ｐ（誘導レール部７７ａ，７８ａ）とは、図５に示すように間隔を空けて設置され、この空間がファール球を回収するためのファール球回収口１５０となっている。遊技球発射機構８０から発射される遊技球は、ソレノイドの出力軸による打出強度が弱いと、遊技領域６１ａに到達することなく発射球誘導通路６１ｐ（誘導レール７７ａ，７８ａ内）を逆流する場合がある。また、遊技領域６１ａに進入しても遊技釘６９に当たって跳ね返り、発射球誘導通路６１ｐ内に逆戻りして逆流する場合などがある。このように、遊技球発射機構８０から発射されたにもかかわらず、遊技領域６１ａを流下することなく発射球誘導通路６１ｐを逆流する遊技球や、打出強度が弱すぎて発射球誘導通路６１ｐ内にさえ到達しない遊技球をファール球という。ファール球は、次に発射される遊技球との衝突を避けるためにファール球回収口１５０に自然落下させて、遊技者に返却するように構成されている。なお、ファール球回収口１５０は、後述する前面側通路ユニット２７１のファール球用開口部２８１（図１９参照）と連通しており、下皿９６ａ（図１参照）に排出される。なお、発射球誘導通路６１ｐの途中の下方には、発射球誘導通路６１ｐを逆流するファール球が流入可能なファール球入賞口４０１が設けられているが、その詳細については後述する。
【００３４】
樹脂ベース４１の前面における回動基端側にはその上端部及び下端部に支持金具４２，４３が取り付けられており、これら支持金具４２，４３に対して遊技機前面ユニット２３が支持されていることで当該遊技機前面ユニット２３が遊技機ベースユニット２２に対して前方に回動可能となっている。また、樹脂ベース４１の前面における回動先端側には、遊技機前面ユニット２３の背面に設けられた鉤金具４４（図２参照）を挿入するための挿入孔４５が上下方向に離間させて複数設けられている。遊技機ベースユニット２２に対して遊技機前面ユニット２３を閉鎖した状態では、遊技機前面ユニット２３の鉤金具４４が挿入孔４５内に入り込み、当該鉤金具４４は上述した施錠装置３１に係止される。これにより、遊技機ベースユニット２２に対して遊技機前面ユニット２３が施錠された状態となる。この施錠状態はシリンダ錠３５の操作によって施錠装置３１の連動杆３２を、外枠１１に対する遊技機ベースユニット２２の解錠を行う場合とは反対側に移動させることで解除される。
【００３５】
＜遊技機前面ユニット２３＞
ここで、遊技機前面ユニット２３の構成について説明する。図８は遊技機前面ユニット２３の背面図である。
【００３６】
図１及び図８に示すように、遊技機前面ユニット２３は遊技機ベースユニット２２の前面側全体を覆うようにして設けられている。遊技機前面ユニット２３には、上記遊技領域６１ａの略全域を前方から視認することができるようにした略楕円形状の窓パネル部９１が設けられている。窓パネル部９１の周囲には、各種ランプ等の発光手段が設けられている。例えば、窓パネル部９１の周縁に沿ってＬＥＤ等の発光手段を内蔵した環状電飾部９２が設けられている。環状電飾部９２では、大当たり時や所定のリーチ時等における遊技状態の変化に応じて点灯や点滅が行われる。また、環状電飾部９２の中央であってパチンコ機１０の最上部には所定のエラー時に点灯するエラー表示ランプ部９３が設けられている。また、窓パネル部９１の左上方及び右上方には、遊技状態に応じた効果音などが出力されるスピーカ部９４が設けられている。
【００３７】
遊技機前面ユニット２３における窓パネル部９１の下方には、手前側へ膨出した上側膨出部９５と下側膨出部９６とが上下に並設されている。上側膨出部９５内側には上方に開口した上皿９５ａが設けられており、下側膨出部９６内側には同じく上方に開口した下皿９６ａが設けられている。上皿９５ａは、後述する払出装置より払い出された遊技球を一旦貯留すると共に、自然に一列に整列させながら遊技球発射機構８０側へ導くための機能を有する。また、下皿９６ａは、上皿９５ａ内にて余剰となった遊技球を貯留する機能を有する。なお、下側膨出部９６の右方には、上述した遊技球発射ハンドル８４が設けられている。
【００３８】
遊技機前面ユニット２３の背面における回動基端側（図８の右側）には、その上端部及び下端部に突起軸９７，９８が設けられている。これら突起軸９７，９８は遊技機ベースユニット２２に対する組付機構を構成する。また、遊技機前面ユニット２３の背面における回動先端側（図８の左側）には、上述した鉤金具４４が上下方向に複数並設されている。
【００３９】
また、遊技機前面ユニット２３の背面には、図８に示すように、前面側通路ユニット２７１が取り付けられている。前面側通路ユニット２７１は、合成樹脂により成形されており、上皿９５ａに通じる前扉側上皿通路（後述する前面側上皿通路部２７２）と、下皿９６ａに通じる前扉側下皿通路（後述する前面側下皿通路部２７３）とが形成されている（図２０参照）。前面側通路ユニット２７１の詳細については後に説明する。
【００４０】
＜遊技機ベースユニット２２の背面構成＞
次に、遊技機ベースユニット２２の背面構成について図７を用いて詳細に説明する。
【００４１】
樹脂ベース４１の背面における回動先端側には既に説明した施錠装置３１が設けられている。また、樹脂ベース４１の中央には上記のとおり遊技盤６１が取り付けられている。
【００４２】
遊技盤６１の中央に配置された可変表示ユニット６７には、図３、図６及び図７に示すように、センターフレーム７２を後方から覆う合成樹脂製のフレームカバー１００が後方に突出させて設けられており、フレームカバー１００に対して後側から上述した図柄表示装置７１が取り付けられているとともに、その図柄表示装置７１を駆動するための表示制御装置１０１が取り付けられている。これら図柄表示装置７１及び表示制御装置１０１は前後方向に重ねて配置され（図柄表示装置７１が前、表示制御装置１０１が後）、さらにその後方に音声ランプ制御装置ユニット１０２が搭載されている。音声ランプ制御装置ユニット１０２は、音声ランプ制御装置１０３と、取付台１０４とを具備する構成となっており、取付台１０４上に音声ランプ制御装置１０３が装着されている。
【００４３】
音声ランプ制御装置１０３は、後述する主制御装置からの指示に従い音声やランプ表示、及び表示制御装置の制御を司る音声ランプ制御基板を具備しており、音声ランプ制御基板が透明樹脂材料等よりなる基板ボックスに収容されて構成されている。
【００４４】
遊技盤６１の背面であって可変表示ユニット６７の下方には、主制御装置ユニット１０５が搭載されている。主制御装置ユニット１０５は、合成樹脂製の取付台１０６を有し、取付台１０６に主制御装置１０７が搭載されている。主制御装置１０７は、遊技の主たる制御を司る機能（主制御回路）と、電源を監視する機能（停電監視回路）とを有する主制御基板を具備しており、当該主制御基板が透明樹脂材料等よりなる基板ボックス１０８に収容されて構成されている。なお、当該基板ボックス１０８には、当該基板ボックスの開放痕跡手段としてカシメ構造や図示しない封印シールが設けられているとともに、取付台１０６に対する主制御装置１０７の離脱痕跡手段としてカシメ構造が設けられている。
【００４５】
遊技盤６１の背面における主制御装置ユニット１０５により覆われた領域には、図示しない集合板ユニットが設けられている。集合板ユニットには、各種入賞口に入賞した遊技球を回収するための遊技球回収機構や、各種入賞口等への遊技球の入賞を検知するための入賞検知センサ３２５〜３２８及びファール球入賞検知センサ４７０（図２１参照）などが設けられている。遊技球回収機構にて回収された遊技球は後述する排出通路１４４（図１０参照）を介してパチンコ機１０外部に排出される。遊技球回収機構は、例えば、ファール球入賞口４０１のファール球用貫通孔４１０と連通するように配置され、ファール球を回収して遊技機外部に排出するためのファール球排出樋４８０（図２１（ｃ）参照）を備えており、ファール球入賞検知センサ４７０はこのファール球排出樋４８０の上端部に設けられている。なお、ファール球用貫通孔４１０及びファール球排出樋４８０等については、後述する。入賞検知センサ３２５〜３２８及びファール球入賞検知センサ４７０は、主制御装置１０７と電気的に接続されており、遊技球の入賞を検知した場合の検知信号は主制御装置１０７にて入力される。
【００４６】
樹脂ベース４１の背面における回動基端側（図７の右側）には、軸受け金具１１１，１１２，１１３が取り付けられている。軸受け金具１１１〜１１３は上下に離間させて３個設けられている。なお、軸受け金具１１１〜１１３の数は任意であり、２個であってもよく、４個以上であってもよい。これら軸受け金具１１１〜１１３に対して軸支させて遊技機ベースユニット２２には裏パックユニット２４が取り付けられている。裏パックユニット２４により、図３に示すように、可変表示ユニット６７の全部及び主制御装置ユニット１０５の一部が後方から覆われており、裏パックユニット２４を開放させない限り可変表示ユニット６７及び主制御装置ユニット１０５を樹脂ベース４１から取り外すことができないようになっている。
【００４７】
樹脂ベース４１の背面には、図３及び図７に示すように、裏パックユニット２４を遊技機ベースユニット２２に固定するための固定金具１１５が設けられている。固定金具１１５は手動で回動操作することができ、固定位置（ロック位置）と固定解除位置（アンロック位置）とに切り換えることができるよう構成されている。また、図７に示すように、樹脂ベース４１の背面には締結孔部１１６が形成されており、当該締結孔部１１６に対して裏パックユニット２４に設けられた締結具１１７（図９参照）を締結させることによっても裏パックユニット２４が遊技機ベースユニット２２に固定される。
【００４８】
＜裏パックユニット２４＞
次に、裏パックユニット２４の構成について詳細に説明する。図９は裏パックユニット２４の正面図である。図１０は裏パックユニット２４の分解斜視図である。
【００４９】
裏パックユニット２４は、当該裏パックユニット２４の上部及び中央部分を構成する第１裏パックユニット１２１と、当該第１裏パックユニット１２１に連続させて設けられ裏パックユニット２４の下部を構成する第２裏パックユニット１４１とを備えている。第１裏パックユニット１２１にはその下部に開口部１２２が形成されており、第２裏パックユニット１４１の上部は当該開口部１２２の下縁部分を構成している。
【００５０】
第１裏パックユニット１２１と第２裏パックユニット１４１には、図９に示すように、それぞれ軸金具１２３，１３９が設けられており、それら軸金具１２３，１３９はそれぞれ個別に軸受け金具１１１〜１１３に支持されている。これにより、第１裏パックユニット１２１と第２裏パックユニット１４１とは、遊技機ベースユニット２２に対してそれぞれ個別に回動可能となっている。
【００５１】
ここで、上記のとおり、第２裏パックユニット１４１はその上部が第１裏パックユニット１２１の開口部１２２の下縁部分を構成しており、当該下縁部分において、第１裏パックユニット１２１がパチンコ機１０前方となるようにして第１裏パックユニット１２１と第２裏パックユニット１４１とが前後に重なっている。したがって、第１裏パックユニット１２１を遊技機ベースユニット２２に対して閉鎖した状態で第２裏パックユニット１４１を開放させることはできるが、第２裏パックユニット１４１を閉鎖した状態で第１裏パックユニット１２１を開放させることはできない。なお、これに限定されることはなく、開閉の関係が第１裏パックユニット１２１と第２裏パックユニット１４１とで逆であってもよく、第１裏パックユニット１２１と第２裏パックユニット１４１とが相互に干渉することなく開閉可能な構成であってもよい。さらには、第１裏パックユニット１２１と第２裏パックユニット１４１とが一体化され個別に開閉できない構成としてもよい。
【００５２】
次に、第１裏パックユニット１２１の構成について詳細に説明する。
【００５３】
第１裏パックユニット１２１は、裏パック１２４を備えており、当該裏パック１２４に対して、払出機構部１２５が取り付けられている。裏パック１２４は透明性を有する合成樹脂により成形されており、払出機構部１２５などが取り付けられるベース部１２６と、パチンコ機１０後方に突出し略直方体形状をなす保護カバー部１２７とを有する。保護カバー部１２７は左右側面及び上面が閉鎖され且つ下面のみが開放された形状をなし、少なくとも可変表示ユニット６７を囲むのに十分な大きさを有する。
【００５４】
ベース部１２６には、その右上部に外部端子板１３１が設けられている。また、ベース部１２６には上述した第１裏パックユニット１２１の軸金具１２３が設けられている。
外部端子板１３１は、遊技ホール側の管理装置に対する各種情報の送信を中継するためのものであり、複数の出力端子が設けられている。出力端子は、例えば、現在の遊技状態（大当たり状態や確変モード等）に関する情報を出力するための端子、入球エラー、下皿満タンエラー、タンク球無しエラー、払出しエラーなど各種エラー状態に関する情報を出力するための端子、遊技球発射機構８０から発射された遊技球の数に関する情報を出力するための端子、後述する払出制御装置１４６から払出される賞球数に関する情報を出力するための端子などである。これらの情報は、遊技ホール側の管理装置（所謂、ホールコンピュータ）において、不正行為や故障の有無の判定や遊技ホールの経営管理などに用いられる。
【００５５】
ベース部１２６には、保護カバー部１２７を迂回するようにして払出機構部１２５が配設されている。払出機構部１２５は、タンク１３２と、タンクレール１３３と、上下通路ユニット１３４とを備えている。タンク１３２は上方に開放されており、裏パック１２４の最上部に設けられている。タンク１３２には遊技ホールの島設備から遊技球が逐次補給される。タンクレール１３３は、タンク１３２の下方において当該タンク１３２に連結されており、下流側に向けて緩やかに傾斜している。当該タンクレール１３３の下流部に連結させて上下通路ユニット１３４が設けられている。上下通路ユニット１３４は上下方向に延びており、その途中位置に払出装置１３５が設けられている。また、上下通路ユニット１３４の下流側には、球受け部、裏パック側通路部、本体側通路部及び前面側通路部が設けられており、前面側通路部は上皿９５ａ及び下皿９６ａに連通されている。
【００５６】
つまり、タンク１３２と、上皿９５ａ及び下皿９６ａの受け皿との間には、タンクレール１３３、上下通路ユニット１３４、球受け部、裏パック側通路部、本体側通路部及び前面側通路部からなる誘導通路部が設けられており、タンク１３２に貯留されている遊技球は当該誘導通路部を通じて上皿９５ａ又は下皿９６ａに払い出される。なお、上下通路ユニット１３４の構成、及びそれよりも下流側の構成については後に詳細に説明する。
【００５７】
払出機構部１２５には、裏パック基板１３６が設置されている。裏パック基板１３６には、例えば交流２４ボルトの主電源が供給され、電源スイッチ１３７の切替操作により電源ＯＮ又は電源ＯＦＦとされるようになっている。
【００５８】
次に、第２裏パックユニット１４１の構成について詳細に説明する。
【００５９】
第２裏パックユニット１４１は、排出通路盤１４２と制御装置集合ユニット１４３とを備えている。排出通路盤１４２は第２裏パックユニット１４１の前側を構成し、制御装置集合ユニット１４３は第２裏パックユニット１４１の後側を構成している。そして、これら排出通路盤１４２と制御装置集合ユニット１４３とが前後に組み付けられて第２裏パックユニット１４１が構成されている。
【００６０】
排出通路盤１４２は、制御装置集合ユニット１４３と対向する面に後方に開放された排出通路１４４が形成されており、当該排出通路１４４の開放部は制御装置集合ユニット１４３によって塞がれている。排出通路１４４は、遊技ホールの島設備等へ遊技球を排出するように形成されており、上述した各種入賞口等から排出通路１４４に導出された遊技球は当該排出通路１４４を通ることでパチンコ機１０外部に排出される。
【００６１】
制御装置集合ユニット１４３は、横長形状をなす取付台１４５を有し、取付台１４５に払出制御装置１４６と電源及び発射制御装置１４７とが搭載されている。これら払出制御装置１４６と電源及び発射制御装置１４７とは、払出制御装置１４６がパチンコ機１０後方となるように前後に重ねて配置されている。
【００６２】
払出制御装置１４６は、基板ボックス１４８内に払出装置１３５を制御する払出制御基板が収容されている。なお、払出制御装置１４６から払出装置１３５への払出指令の信号は上述した裏パック基板１３６により中継される。また、払出制御装置１４６には状態復帰スイッチ１４８ａが設けられている。例えば、払出装置１３５における球詰まり等、払出エラーの発生時において状態復帰スイッチ１４８ａが押されると、球詰まりの解消が図られるようになっている。
【００６３】
電源及び発射制御装置１４７は、基板ボックス１４９内に電源及び発射制御基板が収容されており、当該基板により、各種制御装置等で要する所定の電源が生成されて出力され、さらに遊技者による遊技球発射ハンドル８４の操作に伴う遊技球の打ち出しの制御が行われる。また、電源及び発射制御装置１４７にはＲＡＭ消去スイッチ１４９ａが設けられている。本パチンコ機１０は各種データの記憶保持機能を有しており、万一停電が発生した際でも停電時の状態を保持し、停電からの復帰の際には停電時の状態に復帰できるようになっている。したがって、例えば遊技ホールの営業終了の場合のように通常手順で電源を遮断すると遮断前の状態が記憶保持されるが、ＲＡＭ消去スイッチ１４９ａを押しながら電源を投入すると、ＲＡＭデータが初期化されるようになっている。
【００６４】
＜上下通路ユニット１３４＞
次に、上下通路ユニット１３４の構成について詳細に説明する。図１１は上下通路ユニット１３４の斜視図である。図１２及び図１３は上下通路ユニット１３４の分解斜視図である。図１４は上下通路ユニット１３４に形成された通路の一部の構成を説明するための説明図である。
【００６５】
上下通路ユニット１３４は、図１１に示すように、上側ユニット１６１と、払出装置１３５と、下側ユニット１６２とを備えている。これら上側ユニット１６１、払出装置１３５及び下側ユニット１６２が上下通路ユニット１３４として一体化されていることにより、上皿９５ａ及び下皿９６ａへ通じる誘導通路部の一部が形成されている。また、上側ユニット１６１及び下側ユニット１６２により、タンク１３２に貯留されている遊技球を島設備に排出するための排出通路部が形成されている。これら上側ユニット１６１、払出装置１３５及び下側ユニット１６２について詳細に説明する。
【００６６】
上側ユニット１６１は、図１２及び図１３に示すように、ポリカーボネートなどといった透明性を有する合成樹脂により形成された一対のハウジング部材１７１，１７２を備えている。各ハウジング部材１７１，１７２には、それぞれ通路壁が一体形成されている。これらハウジング部材１７１，１７２は両者の間に、ハウジング部材１７１，１７２と同様に透明性を有する合成樹脂により形成された仕切板１７３を挟んだ状態で前後に組み付けられている。これにより、図１４に示すように、パチンコ機１０後側のハウジング部材１７１と仕切板１７３により第１ケースレール部１７４が形成されているとともに、パチンコ機１０前側のハウジング部材１７２と仕切板１７３により第２ケースレール部１７５が形成されている。
【００６７】
なお、一対のハウジング部材１７１，１７２に対しては、両者を前後に挟むようにして外側カバー１７６が取り付けられているとともに、パチンコ機１０の搬送時等においてコンセントプラグを保持するための保持部材１７７が取り付けられている。
【００６８】
第１ケースレール部１７４及び第２ケースレール部１７５は前後に並設されており、上下方向の途中位置に湾曲部を有するように蛇行させて形成されている。第１ケースレール部１７４及び第２ケースレール部１７５は、共に上記誘導通路部の一部を構成している。
【００６９】
上側ユニット１６１には、図１４に示すように、第１ケースレール部１７４及び第２ケースレール部１７５の他に、上側排出通路部１７８が形成されている。上側排出通路部１７８は、一対のハウジング部材１７１，１７２間において仕切板１７３により仕切られていない領域に形成されており、第１ケースレール部１７４及び第２ケースレール部１７５よりもパチンコ機１０外側に位置している。上側排出通路部１７８は、第１ケースレール部１７４及び第２ケースレール部１７５の両方に対してそれらの途中位置から分岐させて設けられている。
【００７０】
ここで、上側排出通路部１７８の入口部分には、切換片１８１が設けられている。切換片１８１は、前後方向を回動軸として、両ハウジング部材１７１，１７２に対して回動可能に支持されている。切換片１８１は、両ハウジング部材１７１，１７２の間に内蔵されている。また、切換片１８１よりもパチンコ機１０外側には切換操作片１８２が設けられている。当該切換操作片１８２も切換片１８１と同様に、前後方向を回動軸として、両ハウジング部材１７１，１７２に対して回動可能に支持されている。
【００７１】
切換操作片１８２は、両ハウジング部材１７１，１７２内に位置する押圧部１８３と、両ハウジング部材１７１，１７２外に位置するレバー部１８４とを有している。切換操作片１８２は、レバー部１８４を操作して回動させることで、押圧部１８３が切換片１８１を押圧する押圧位置と、当該押圧を解除する押圧解除位置とに切換配置可能となっている。
【００７２】
切換操作片１８２を、図１４の実線で示すように、押圧位置に配置した場合には、上記のとおり切換操作片１８２の押圧部１８３により切換片１８１が押圧され、当該切換片１８１は第１ケースレール部１７４及び第２ケースレール部１７５の通路壁の一部を構成する。また、この通路壁を構成する位置では、第１ケースレール部１７４及び第２ケースレール部１７５は湾曲しており、切換片１８１は上記通路壁における底部側を構成している。ちなみに、押圧部１８３により押圧されて切換片１８１が第１ケースレール部１７４及び第２ケースレール部１７５の通路壁を構成している状態が、払出誘導状態に相当する。切換片１８１が払出誘導状態である場合には、切換片１８１よりも上流側の遊技球は、第１ケースレール部１７４及び第２ケースレール部１７５をそのまま流下していく。
【００７３】
一方、切換操作片１８２を、図１４の二点鎖線で示すように、押圧解除位置に配置した場合には、押圧部１８３による切換片１８１の押圧状態が解除される。これにより、切換片１８１は自重により回動し、第１ケースレール部１７４及び第２ケースレール部１７５の通路壁を構成しない状態となる。ちなみに、押圧部１８３による押圧が解除されて切換片１８１が第１ケースレール部１７４及び第２ケースレール部１７５の通路壁を構成していない状態が、排出誘導状態に相当する。切換片１８１が排出誘導状態である場合には、切換片１８１よりも上流側の遊技球は、上側排出通路部１７８側に流れていく。切換操作片１８２は通常、切換片１８１が払出誘導状態となる位置に配置されており、パチンコ機１０内部の遊技球を抜き出す場合に、切換片１８１が排出誘導状態となるように切換配置される。
【００７４】
上側ユニット１６１は、タンク１３２の球無状態を検知するための球無検知センサ１８６を備えている。球無検知センサ１８６は、第１ケースレール部１７４及び第２ケースレール部１７５における切換片１８１よりも上流側において遊技球を検知するように設けられており、第１ケースレール部１７４及び第２ケースレール部１７５のそれぞれに対応させて検知部１８７ａ，１８７ｂを備えている。なお、本パチンコ機１０では、球無検知センサ１８６として、検知部１８７ａ，１８７ｂに設けられた突出片が遊技球に押圧されていない場合に球無検知信号を出力するセンサが用いられているが、どのようなセンサを用いるかは任意である。球無検知センサ１８６の検知結果は払出制御装置１４６に出力され、払出制御装置１４６では球無検知センサ１８６の検知結果に基づいて球無状態か否かの特定を行う。
【００７５】
次に、払出装置１３５について説明する。図１５は払出装置１３５の分解斜視図である。なお、当該払出装置１３５の説明では、図１２〜図１４を適宜参照する。
【００７６】
払出装置１３５は、図１２及び図１３に示すように、下側ユニット１６２の上部に組み付けられている。払出装置１３５は、複数の部材が組み合わされてなるハウジング１９１を備えており、ハウジング１９１内には遊技球通路１９２が形成されている（図１４参照）。遊技球通路１９２は、誘導通路部の一部を構成している。
【００７７】
遊技球通路１９２は、一対の入口側通路部１９３ａ，１９３ｂと、単一の出口側通路部１９４とを備えている。入口側通路部１９３ａ，１９３ｂは前後に並設されており、いずれもハウジング１９１の上面にて開放されている。これら入口側通路部１９３ａ，１９３ｂのうち、一方が第１ケースレール部１７４と連通しており、他方が第２ケースレール部１７５と連通している。入口側通路部１９３ａ，１９３ｂは、その最下流部にて出口側通路部１９４に合流している。出口側通路部１９４は、ハウジング１９１の下面にて開放されている。
【００７８】
払出装置１３５には、入口側通路部１９３ａ，１９３ｂから出口側通路部１９４へ流れる遊技球を入口側通路部１９３ａ，１９３ｂ側にて一旦停止させるための球止め手段として、回転体１９５が設けられている。回転体１９５は、図１５に示すように、各入口側通路部１９３ａ，１９３ｂに対応させて一対の球誘導板１９６，１９７を備えており、各球誘導板１９６，１９７が対応する入口側通路部１９３ａ，１９３ｂの下流部に収容されるようにして回転体１９５が配置されている。回転体１９５はその中心が払出モータ１９８の出力軸１９８ａ（図１４参照）に固定されている。
【００７９】
払出モータ１９８は、ステッピングモータにより構成されており、出力軸１９８ａは所定方向に回転駆動される。これにより、回転体１９５は、その所定方向に回転し、それに伴って各球誘導板１９６，１９７が各入口側通路部１９３ａ，１９３ｂ内にて回転する。出力軸１９８ａは、１パルスの駆動信号を与えることにより１ｓｔｅｐ進み、３６０パルスの駆動信号を与えることにより１回転するように設定されている。なお、払出モータ１９８はハウジング１９１内に収容されている。
【００８０】
各球誘導板１９６，１９７の周縁には、１８０°間隔で２箇所に、凹部１９６ａ，１９７ａが形成されている。但し、一対の入口側通路部１９３ａ，１９３ｂ間では、凹部１９６ａ，１９７ａの位置が相互に９０°ずらして形成されている。回転体１９５が回転していない場合には、一対の入口側通路部１９３ａ，１９３ｂの両方において遊技球の流下が一旦停止される。また、回転体１９５が回転している場合には、凹部１９６ａ，１９７ａ上に入り込んだ遊技球のみが出口側通路部１９４に導出される。
【００８１】
出口側通路部１９４には、図１５に示すように、略平板状をした払出検知センサ１９９が設置されている。払出検知センサ１９９は、周知の磁気検知タイプの近接センサにて構成されており、貫通孔を遊技球が通過したことによる磁界の変化を電気信号に変換して出力する。この払出検知センサ１９９により、払出装置１３５を介して払い出された遊技球の数が確認できるようになっている。
【００８２】
次に、下側ユニット１６２について説明する。
下側ユニット１６２は、図１２に示すように、一対のハウジング部材２０１，２０２を備えており、両ハウジング部材２０１，２０２が前後に組み付けられて、上下方向に延びる払出通路部２０３が内部に形成されている。払出通路部２０３は、誘導通路部の一部を構成している。払出通路部２０３は払出装置１３５の出口側通路部１９４に連通されており、払出装置１３５から払い出された遊技球は払出通路部２０３を通過する。払出通路部２０３の下流側には仕切壁２０４が形成されており、払出通路部２０３は下流側にて２列に分岐している。これら２列の通路のうち、一方により遊技球が上皿９５ａへ誘導され、他方により遊技球が下皿９６ａへ誘導される。この誘導の様子については、後に説明する。
【００８３】
下側ユニット１６２には、払出通路部２０３以外にも下側排出通路部２０５が形成されている。下側排出通路部２０５は上下方向に延びており、払出通路部２０３よりもパチンコ機１０外側に位置している。また、払出通路部２０３よりも上方に延長させて形成されており、上側ユニット１６１の上側排出通路部１７８に連通している。これにより、上側排出通路部１７８へ誘導された遊技球は、下側排出通路部２０５を通過することとなる。
【００８４】
下側ユニット１６２には、既に説明した裏パック基板１３６が搭載されている。ここで、裏パック基板１３６には、図１２に示すように、球抜きボタン２０６が設けられている。本パチンコ機１０では、上記のとおり球無検知センサ１８６が設けられており、球無検知センサ１８６にて球無状態が検知されている状況では払出装置１３５の払出動作が停止される。この場合に、球抜きボタン２０６が操作されることにより、上記動作停止状態が解除され、払出装置１３５の払出動作が可能となる。
【００８５】
以上のとおり、上下通路ユニット１３４には、上側ユニット１６１の第１ケースレール
部１７４及び第２ケースレール部１７５と、払出装置１３５の遊技球通路１９２と、下側ユニット１６２の払出通路部２０３とが設けられている。そして、タンクレール１３３から流下してきた遊技球は、払出の際に、これら通路部（１７４，１７５，１９２，２０３）を通じて、基本的には上皿９５ａに向けて誘導され、上皿９５ａに一定量以上の遊技球が貯留されている場合には下皿９６ａに向けて誘導される。また、上下通路ユニット１３４には、上側ユニット１６１の上側排出通路部１７８と、下側ユニット１６２の下側排出通路部２０５とが設けられている。そして、切換操作片１８２を操作して切換片１８１を排出誘導状態とすることにより、切換片１８１よりも上流側にある遊技球が、これら上側排出通路部１７８及び下側排出通路部２０５を通じてパチンコ機１０外の島設備に向けて誘導される。
【００８６】
＜上下通路ユニット１３４よりも下流側の通路構成＞
次に、上下通路ユニット１３４よりも下流側の通路構成について説明する。図１６は遊技球の通路構成を説明するための説明図である。なお、図１６においては、便宜上、遊技機ベースユニット２２側及び裏パックユニット２４側の通路構成について断面で示す。
【００８７】
裏パックユニット２４において、上下通路ユニット１３４の下流側には球受け部２５２が設けられており、上下通路ユニット１３４を通過した遊技球は球受け部２５２に導入される。球受け部２５２は、上下通路ユニット１３４を通過した遊技球を上皿９５ａ側若しくは下皿９６ａ側、又は第２裏パックユニット１４１の排出通路１４４に導く機能を有する。
【００８８】
球受け部２５２の構成を、図１７に示す球受け部２５２周辺の縦断面図を参照しながら説明する。球受け部２５２は上方及び前方に開放しており、その内部が２つの仕切壁２５３ａ，２５３ｂによって仕切られることで３つの開口部２５５ａ，２５５ｂ，２５５ｃが左右方向に並設されている。
【００８９】
これら開口部２５５ａ，２５５ｂ，２５５ｃのうち、パチンコ機１０内側の開口部２５５ａは、払出通路部２０３における仕切壁２０４により仕切られた２列の通路のうち、パチンコ機１０内側の通路の下方に位置しているとともに、上皿９５ａへ続く上皿通路に通じている。また、中央の開口部２５５ｂは、払出通路部２０３における仕切壁２０４により仕切られた２列の通路のうち、パチンコ機１０外側の通路の下方に位置しているとともに、下皿９６ａへ続く下皿通路に通じている。また、外側の開口部２５５ｃは、下側排出通路部２０５の下方に位置しているとともに、第２裏パックユニット１４１の排出通路１４４に通じている。
【００９０】
上皿通路は、裏パックユニット２４に設けられた裏パック側上皿通路部２５８と、遊技機ベースユニット２２に設けられた本体側上皿通路部２６２と、遊技機前面ユニット２３に設けられた前面側上皿通路部２７２とから構成されている。同様に、下皿通路は、裏パックユニット２４に設けられた裏パック側下皿通路部２５９と、遊技機ベースユニット２２に設けられた本体側下皿通路部２６３と、遊技機前面ユニット２３に設けられた前面側下皿通路部２７３（図２０参照）とから構成されている。
【００９１】
これら各通路部２５８，２５９，２６２，２６３，２７２，２７３について詳細に説明する。
【００９２】
＜裏パック側通路部２５８，２５９＞
裏パック側上皿通路部２５８及び裏パック側下皿通路部２５９は、裏パックユニット２４の回動基端側においてベース部１２６を前後方向に貫通するようにして設けられた裏パック側通路ユニット２５７に形成されている（図１６参照）。裏パック側上皿通路部２５８及び裏パック側下皿通路部２５９は通路壁によって区画され左右方向に並設されている。また、裏パック側上皿通路部２５８及び裏パック側下皿通路部２５９は、それぞれ前後方向に延びており、下流側に向けて下り傾斜となっている。以上の構成において裏パック側上皿通路部２５８及び裏パック側下皿通路部２５９に導入された遊技球は、底部２５８ａ，２５９ａ上を転がった後に本体側上皿通路部２６２及び本体側下皿通路部２６３のそれぞれに排出される。
【００９３】
＜本体側通路部２６２，２６３＞
本体側上皿通路部２６２及び本体側下皿通路部２６３は、遊技機ベースユニット２２の回動基端側において樹脂ベース４１を前後方向に貫通するようにして設けられた本体側通路ユニット２６１に形成されている。
【００９４】
本体側上皿通路部２６２及び本体側下皿通路部２６３は、仕切用通路壁２６４によって区画されて左右方向に並設されており、それぞれ球出口２６２ａ，２６３ａが下方を向くようにして形成されている。詳細には、本体側上皿通路部２６２及び本体側下皿通路部２６３の上流側は下流側に向けて下り傾斜となっており、その下流側では若干下方に延出させて球出口２６２ａ，２６３ａが形成されている。以上の構成において本体側上皿通路部２６２及び本体側下皿通路部２６３に導入された遊技球は、底部２６２ｂ，２６３ｂ上を転がり球出口２６２ａ，２６３ａを介して前面側上皿通路部２７２及び前面側下皿通路部２７３のそれぞれに排出される。
【００９５】
＜前面側通路部２７２，２７３＞
前面側上皿通路部２７２及び前面側下皿通路部２７３は、遊技機前面ユニット２３の背面に設けられた前面側通路ユニット２７１に形成されている。ここで、前面側通路ユニット２７１について図１８〜図２０を用いて説明する。図１８は前面側通路ユニット２７１の斜視図である。図１９は前面側通路ユニット２７１の分解斜視図である。図２０は前面側通路ユニット２７１の正面図である。
【００９６】
前面側通路ユニット２７１は、図１９に示すように一対のベース板２７４ａ，２７４ｂを有している。これらベース板２７４ａ，２７４ｂはポリカーボネート樹脂などといった透明性を有する合成樹脂材料により形成されており、それぞれ溝部や開口部が形成されている。両ベース板２７４ａ，２７４ｂがネジ固定されていることで、前面側上皿通路部２７２を構成する受口部２７５、前面側下皿通路部２７３を構成する通路形成部２７６、ファール球用下皿通路部２８０を構成するファール球用開口部２８１などが形成されている。なお、前面側通路ユニット２７１は受口部２７５及び通路形成部２７６の他に板状部２７１ａを有している。この前面側通路ユニット２７１は、前面側上皿通路部２７２の出口２７２ａが上皿９５ａの球入口と前後に重なり、前面側下皿通路部２７３の出口２７３ａが下皿９６ａの球入口と前後に重なるようにして、遊技機前面ユニット２３の背面に対してパチンコ機１０後方からネジ固定されている。
【００９７】
前面側通路ユニット２７１の受口部２７５及び通路形成部２７６について説明する。受口部２７５が形成された位置は前面側通路ユニット２７１において上側隅部であり、遊技機前面ユニット２３との関係では当該遊技機前面ユニット２３の回動基端側となっている。また、受口部２７５は、通路形成部２７６よりもパチンコ機１０の後方に突出しており、さらには遊技機前面ユニット２３の回動軸よりもパチンコ機１０の後方にある。そして、遊技機前面ユニット２３を閉鎖した状態において、受口部２７５は遊技機ベースユニット２２の前側端部よりも後側に入り込んでいる。
【００９８】
但し、受口部２７５は遊技機ベースユニット２２の後側端部よりも前側にあり、遊技機ベースユニット２２（樹脂ベース４１）には受口部２７５と対峙する位置に、当該受口部２７５の突出側をカバーするカバー部としての収容凹部２９２ｂが形成されている（図１６参照）。よって、遊技機前面ユニット２３を閉鎖した状態において受口部２７５は遊技機ベースユニット２２を前後方向に貫通していない。
【００９９】
受口部２７５は図１８等に示すように上方に開放されており、その左右方向の略中央には底部から上方に起立した仕切壁２７７が一体形成されている。この仕切壁２７７に仕切られることで、受口部２７５には２つの開口部２７８，２７９が左右方向に並設されている。かかる構成において、受口部２７５におけるパチンコ機１０内側の側壁はパチンコ機１０後側などに比べ背が高くなっており、当該側壁には庇部２７５ａが形成されている。この庇部２７５ｂが形成されていることにより、上記２つの開口部２７８，２７９のうちパチンコ機１０内側の開口部２７８はパチンコ機１０外側の開口部２７９よりも幅寸法（左右方向寸法）が小さくなっている。
【０１００】
パチンコ機１０内側の開口部２７８は、本体側上皿通路部２６２の球出口２６２ａと上下に対峙しており、図２０等に示すように、前面側上皿通路部２７２の球入口となっている。また、パチンコ機１０外側の開口部２７９は、本体側下皿通路部２６３の球出口２６３ａと上下に対峙しており、通路形成部２７６に形成される前面側下皿通路部２７３の球入口となっている。この場合に、上記のとおり、受口部２７５は遊技機ベースユニット２２の前側端部よりも後側に入り込んでいるため、前面側上皿通路部２７２と本体側上皿通路部２６２との境界部分、及び前面側下皿通路部２７３と本体側下皿通路部２６３との境界部分は、その一部が遊技機ベースユニット２２の前側端部よりも後側に入り込んでいる（図１６等参照）。
【０１０１】
内側開口部２７８と上皿９５ａの球入口１９６とは前後に並んでおり、前面側上皿通路部２７２はそれら内側開口部２７８と球入口１９６とを繋ぐように前後方向に延びている。外側開口部２７９と下皿９６ａの球入口とは左右方向及び上下方向にずれた位置関係となっている。つまり、外側開口部２７９が遊技機前面ユニット２３の回動基端側にあり、下皿９６ａの球入口は遊技機前面ユニット２３の左右方向の中央付近にある。また、外側開口部２７９に対して下皿９６ａの球入口は下方にある。これら外側開口部２７９と下皿９６ａの球入口とを繋ぐように、前面側下皿通路部２７３が形成されている。
【０１０２】
次に、上皿９５ａ及び下皿９６ａへの遊技球の流れについて説明する。
図１７に示すように払出装置１３５からは球受け部２５２における内側の開口部２５５ａに向けて遊技球が払い出される。よって、払出装置１３５から払い出された遊技球は各上皿通路部２５８，２６２，２７２によって構成される上皿通路を通って上皿９５ａに排出される。
【０１０３】
但し、払出装置１３５から多数の遊技球が払い出され上皿９５ａが満杯状態となり、さらにその後も遊技球の払い出しが継続されると、上皿通路にて遊技球が連なり、図１７に示すように、球受け部２５２における内側の開口部２５５ａの全体に遊技球が充たされるとともに、上下通路ユニット１３４の払出通路部２０３における仕切壁２０４の先端の位置まで遊技球が充たされることとなる。かかる状態において払出装置１３５から払い出された遊技球は払出通路部２０３の仕切壁２０４を乗り越え中央の開口部２５５ｂ内に入る。そして、この遊技球は各下皿通路部２５９，２６３，２７３によって構成される下皿通路を通って下皿９６ａに排出される。
【０１０４】
なお、ファール球用下皿通路部２８０は、図１９に示すように、前面側下皿通路部２７３の下端部と連通している。上述したように、ファール球回収口１５０に回収されたファール球は、前面側通路ユニット２７１のファール球用下皿通路部２８０から前面側下皿通路部２７３の下端部、出口２７３ａを通り、下皿９６ａに返却される。
【０１０５】
本実施の形態では上述したように遊技機前面ユニット２３に対して前面側通路ユニット２７１が設けられている。また、遊技機前面ユニット２３には上述したように窓パネル部９１が設けられており、例えば遊技領域６１ａにて球詰まり等が発生しそれを解消するために遊技機前面ユニット２３を開放すると、それに合わせて前面側通路ユニット２７１が前方に移動し、遊技機前面ユニット２３側の各通路部２７２，２７３と遊技機ベースユニット２２側の各通路部２６２，２６３とが離間される。そして、この遊技機前面ユニット２３の開放操作が、上皿９５ａや下皿９６ａが満杯状態であり本体側上皿通路部２６２や本体側下皿通路部２６３にて遊技球が待機されている状態において行われると、その待機されている遊技球が前面側上皿通路部２７２や前面側下皿通路部２７３にて受けられなくなり散乱してしまうおそれがある。これに対して、この遊技球の散乱を防止するためにシャッタ機構２９１（図１６参照）が設けられているが、その詳細については省略する。
【０１０６】
＜ファール球入賞口４０１＞
次に本遊技機１０の特徴であるファール球入賞口４０１について詳細に説明する。図２１は、ファール球入賞口４０１を説明するための説明図であり、（ａ）は正面図、（ｂ）は右斜め上方から視認した斜視図、（ｃ）は平面図である。なお、便宜上、図２１（ａ）においては、ファール球入賞口４０１の装飾部４２３を、（ｂ）及び（ｃ）においては左遊技釘４４０及び右遊技釘４５０を省略している。
本遊技機１０の外誘導レール部７８ａには、遊技球発射機構８０側である下端側に分断部７８ｂが形成されている（図１５参照）。なお、以下、発射球誘導通路６１ｐ、内誘導レール部７７ａ及び外誘導レール部７８ａにおいて、遊技球発射機構８０が設置されている側を遊技球発射機構側又は下端側、遊技領域６１ａに通ずる側を遊技領域側又は上端側という。
【０１０７】
正面視略Ｃ字状の外誘導レール部７８ａは、図６及び図２１に示すように、下端側に形成された分断部７８ｂにより分断されており、上側外誘導レール部７８ａ１と下側外誘導レール部７８ａ２の２つ部材からなる。分断部７８ｂは、遊技球Ｂが遊技領域６１ａ内に到達可能な最低の打出強度（以下、到達最低強度という）で発射された際に、遊技球Ｂが当たる位置（以下、到達可能最下位置Ｌという）よりも遊技球発射機構側（下端側）に設けられている。具体的には、分断部７８ｂは、図２１に示すように、遊技球発射機構８０の発射レール８２の延長線よりも下側に設けられ、下側外誘導レール部７８ａ２の略下端に到達可能最下位置Ｌが位置している。
【０１０８】
分断部７８ｂの中央下方には、発射球誘導通路６１ｐ内のファール球が流入可能なファール球入賞口４０１が設けられており、正面視において、このファール球入賞口４０１の左右には、それぞれファール球の移動速度を減ずるための左側減速部４４０及び右側減速部４５０が設けられている。
ファール球入賞口４０１は、入球（入賞）したファール球を遊技盤６１の背面側に案内し、遊技機１０外部に排出するためのものであり、遊技盤６１を前後方向に貫通する孔であるファール球用貫通孔４１０と、ファール球用貫通孔４１０の前面側に取り付けられる本体部４２０とからなる。本体部４２０は、受け部４２１と、装飾部４２３と、受け部４２１及び装飾部４２３を遊技盤６１に取り付けるための取付部４２５とからなる。
【０１０９】
受け部４２１は正面視略Ｕ字の樋状であり、装飾部４２３は受け部４２１の前面側を覆う板状部であり前面に装飾が施されている。これらは、取付部４２５を介してネジなどの取付部材（図示せず）により、遊技盤６１面より前方（遊技者側）に突出するように取り付けられる。受け部４２１の上面側には、遊技球発射機構８０から到達最低強度よりも弱い強度で打ち出されたファール球が、発射球誘導通路６１ｐの下側外誘導レール部７８ａ２から直接、又は、発射球誘導通路６１ｐの上側外誘導レール部７８ａ１を逆流して、開口部４２１ａから入球する。受け部４２１の背面側は遊技盤６１のファール球用貫通孔４１０に連通する排出口４２１ｂとなっており、受け部４２１の底面には、入球したファール球を奥行き方向（遊技盤６１の背面側）に移動させるために後方に向けて下方へ傾斜するように形成された凸部４２１ｃが設けられている。
【０１１０】
遊技盤６１の背面側には、受け部４２１と対向するように、ファール球排出樋４８０が設けられている。上述したように、遊技球回収機構のファール球排出樋４８０は、ファール球入賞口４０１の排出口４２１ｂ及びファール球用貫通孔４１０と連通しており、入賞したファール球を排出通路１４４から遊技機１０の外部に排出する。ファール球排出樋４８０のファール球用貫通孔４１０側である上端部には、ファール球の入球を検知するファール球入賞検知センサ４７０（ファール球入賞検知手段）が設けられている。ファール球入賞検知センサ４７０は、ファール球の入賞を検知すると、検出信号を主制御装置１０７（後述する主制御基板３１１）に出力する。つまり、ファール球入賞検知センサ４７０と主制御装置１０７とは電気的に接続されるが、上述したように、主制御装置１０７は主制御装置ユニット１０５に搭載され、ファール球入賞検知センサ４７０は遊技盤６１と主制御装置ユニット１０５との間の集合板ユニットの中に設けられているので、短いハーネスで容易に接続することができ、スペースを取らない。簡単な構成となるので、製造時の組み立ても容易で経済的である。また、ファール球入賞口４０１は、発射球誘導通路６１ｐの途中位置の下方に設けられ、ファール球を早期に発射球誘導通路６１ｐ内から退けることができるので、次に発射される遊技球と衝突する可能性を減ずることができる。
【０１１１】
なお、本遊技機１０においては、ファール球入賞口４０１が装飾部４２３を有する構成となっているが、必ずしも装飾部４２３を必要とせず、発射球誘導通路６１ｐと同様に受け部４２１の前面側を窓パネル部９１により覆う構成としてもよい。また、本遊技機１０の窓孔５１及び窓パネル部９１を大きくして、遊技盤６１下部におけるファール球の動きやファール球入賞口４０１が、遊技者から視認しやすくすることも望ましい。
【０１１２】
ここで、図６及び図２１（ａ）に示すように、ファール球入賞口４０１の受け部４２１の左上端部の左方及び右上端部の右方には、図２１に示すように、左側減速部４４０及び右側減速部４５０が設けられている。
左側減速部４４０は２本の左遊技釘４４１，４４２からなり、上側外誘導レール部７８ａ１の下端と受け部４２１の左上端部との間を埋めるように遊技盤６１に植設されている。これらの左遊技釘４４１，４４２は、左側が上方となるように斜めに傾斜した直線上にあり、その傾きは、上側外誘導レール部７８ａ１の下端の接線の傾きよりも大きくなるように配設されている。例えば、正面視において、左遊技釘４４１と左遊技釘４４２とを結ぶ直線と、上側外誘導レール部７８ａ１の下端の接線とがなす角度は、１０度〜５０度となるように設けられている。
右側減速部４５０も２本の右遊技釘４５１，４５２からなり、受け部４２１の右上端部と下側外誘導レール部７８ａ２の上端との間を埋めるように遊技盤６１に植設されている。これらの右遊技釘４５１，４５２は、左側が上方となるように斜めに傾斜した直線上にあり、その傾きは、下側外誘導レール部７８ａ２の上端の接線の傾きよりも僅かに大きくなるように配設されている。例えば、正面視において、右遊技釘４５１と右遊技釘４５２とを結ぶ直線と、下側外誘導レール部７８ａ２の上端の接線とがなす角度は、１度〜２０度となるように設けられている。
【０１１３】
到達最低強度よりも弱い強度で打ち出された遊技球は、外誘導レール部７８ａにおいて、到達可能最下位置Ｌよりも下端側に当たり、発射球誘導通路６１ｐの上端側へ移動した後、下端側へ移動（逆流）するファール球となる。ここで、ファール球は、右側減速部４５０や左側減速部４４０に接触することにより、その移動の勢い（移動速度）が弱められる。具体的には、右側減速部４５０及び左側減速部４４０は、上端側に移動する遊技球の勢いを弱め、その移動距離を短くしてファール球入賞口４０１への入球を早めることができる。また、左側減速部４４０によれば、上側外誘導レール部７８ａ１上を下端側に移動する遊技球の勢いを弱めて、ファール球入賞口４０１に入球しやすくすることができる。なお、左側減速部４４０である２つの左遊技釘４４１と左遊技釘４４２を結ぶ直線の傾きは、発射された遊技球が当たっても遊技球発射機構８０側に跳ね返ってしまうことのないような角度に設けられている。また、受け部４２１の右上端部は、この直線の延長線よりも上方へ突出するように設けられ、逆流してくるファール球をファール球入賞口４０１へ導くように設けられている。右側減速部４５０は、下側外誘導レール部７８ａ２に当たり上端側へ移動する遊技球を、その勢いを弱めすぎることなくファール球入賞口４０１へ導くように設けられている。なお、左側減速部４４０及び右側減速部４５０は遊技釘であるので、必要に応じてその傾きの調節も可能である。
【０１１４】
本実施例では、左側減速部４４０及び右側減速部４５０は、遊技盤６１に植設した遊技釘により構成しているが、移動するファール球の運動エネルギーを減ずることができれば、これに限らない。本遊技機１０では、従来のファール球回収口１５０を備えたままの構成として、ファール球入賞口４０１に入球しなかったファール球を回収すると共に、遊技終了時などに遊技球発射機構８０内にある遊技球をこのファール球回収口１５０から下皿９６ａに返却できるようにしておくことにより、遊技者による遊技球の回収が容易になるように構成している。
【０１１５】
＜ファール球入賞口４０１の変形例＞
次に、ファール球入賞口４０１の変形例について、図面を参照して説明する。なお、上述した実施例と同様の構成等については同様の符号、名称を付す等して重複する説明は省略する。
図２２は、ファール球入賞口４０１の変形例であるファール球入賞口４０１ｘを説明するための正面図である。図２１に示すように、実施例においては、誘導レール部７８ａの分断部７８ｂに、ファール球入賞口４０１等を別部材として設けているが、本変形例においては、ファール球入賞口４０１の受け部４２１及び左側減速部４４０を、上側外誘導レール部７８ａ１及び下側外誘導レール部７８ａ２と一体的に外誘導レール部７８ｘとして設けたものである。なお、外誘導レール部７８ｘには、ファール球入賞口４０１の装飾部４２３及び右側減速部４５０に対応するものは形成されていない。
【０１１６】
外誘導レール部７８ｘには、到達可能最下位置Ｌよりも下端側に、正面視において斜め右下方に突出するようにファール球入賞口４０１ｘの受け部４２１ｘが、この受け部４２１ｘの左側には鋸歯状の左側減速部４４０ｘが形成されている。また、受け部４２１ｘの底面には、遊技球（ファール球）の衝撃を吸収し、かつ、遊技盤６１の背面側へ導く弾力性を有する弾力材４６０が取り付けられている。受け部４２１ｘを右下方に突出するような形状とし、弾力材４６０を設けることで、上端側から逆流するファール球（遊技球）が入球しやすくなるとともに、入球したファール球が跳ね上がるのを防止することができる。なお、受け部４２１ｘは、ファール球が跳ね上がったとしても外誘導レール部７８ｘの下端側（正面視斜め右下方の遊技球発射機構８０側）への移動しないように、正面視右側面ｆが左斜め上方に突出するように設けられている。なお、ファール球入賞口４０１ｘは、本変形例の形状等に限らず、ファール球入賞口４０１ｘが外誘導レール部７８ａと一体となって構成されるものであればよい。一体として設けることにより部材が少なくて済むので、製造コストなどを抑えることができる。
【０１１７】
次に、パチンコ機１０の電気的構成について、図２３のブロック図に基づいて説明する。図２３では、電力の供給ラインを二重線矢印で示し、信号ラインを実線矢印で示す。
【０１１８】
主制御装置１０７に設けられた主制御基板３１１には、主制御回路３１２と停電監視回路３１３とが内蔵されている。主制御回路３１２には、ＣＰＵ３２１が搭載されている。ＣＰＵ３２１には、当該ＣＰＵ３２１により実行される各種の制御プログラムや固定値データを記憶したＲＯＭ（不揮発性記憶手段）３２２と、そのＲＯＭ３２２内に記憶される制御プログラムの実行に際して各種のデータ等を一時的に記憶するためのメモリであるＲＡＭ（揮発性記憶手段）３２３と、割込回路やタイマ回路、データ入出力回路などの各種回路が内蔵されている。
【０１１９】
ＲＡＭ３２３は、パチンコ機１０の電源の遮断後においても電源及び発射制御装置１４７に設けられた電源及び発射制御基板３３１からバックアップ電力（データ記憶保持用電力）が供給されてデータが保持される構成となっている。
【０１２０】
ＣＰＵ３２１には、アドレスバス及びデータバスで構成されるバスラインを介して入出力ポートが接続されている。主制御回路３１２の入力側には、主制御基板３１１に設けられた停電監視回路３１３、払出制御装置１４６に設けられた払出制御基板３３２及びその他図示しないスイッチ群などが接続されている。この場合に、停電監視回路３１３には電源及び発射制御基板３３１が接続されており、主制御回路３１２には停電監視回路３１３を介して電力が供給される。
【０１２１】
ちなみに、主制御回路３１２の入力側に接続されるスイッチ群としては、一般入賞口６２に入球した遊技球を検知する一般入賞口センサ３２５と、可変入賞装置６３に入球した遊技球を検知するカウントセンサ３２６と、上作動口６４に入球した遊技球を検知する上作動口センサ３２７と、下作動口６５に入球した遊技球を検知する下作動口センサ３２８と、ファール球入賞口４０１に入球した遊技球を検知するファール球入賞口センサ４７０と、払出装置１３５から払い出される遊技球を検知する払出検出センサ１９９などがある。なお、一般入賞口センサ３２５は、一般入賞口６２に対して１対１で対応させて設けられている。これら入賞検知センサ３２５〜３２８及びファール球入賞検知センサ４７０からの検知結果に基づいて、主制御回路３１２のＣＰＵ３２１において、各種入賞口６２〜６５又はファール球入賞口４０１への遊技球の入球の有無が特定される。
【０１２２】
一方、主制御回路３１２の出力側には、停電監視回路３１３、払出制御基板３３２、中継端子板３３３及び外部端子板１３１が接続されている。払出制御基板３３２には、主制御回路３１２から賞球コマンドなどといった各種コマンドが出力される。また、中継端子板３３３を介して、音声ランプ制御装置１０３に設けられた音声ランプ制御基板３３４に対しても、各種コマンドなどが出力される。なお、外部端子板１３１には、遊技ホール側の管理制御装置が接続されている。
【０１２３】
停電監視回路３１３は、主制御回路３１２と電源及び発射制御基板３３１とを中継し、また電源及び発射制御基板３３１から出力される最大電源である直流安定２４ボルトの電源を監視する。
【０１２４】
払出制御基板３３２は、払出装置１３５により賞球や貸し球の払出制御を行うものである。演算装置であるＣＰＵ３４１は、そのＣＰＵ３４１により実行される制御プログラムや固定値データ等を記憶したＲＯＭ（不揮発性記憶手段）３４２と、ワークメモリ等とし
て使用されるＲＡＭ（揮発性記憶手段）３４３とを備えている。
【０１２５】
払出制御基板３３２のＲＡＭ３４３は、主制御回路３１２のＲＡＭ３２３と同様に、パチンコ機１０の電源の遮断後においても電源及び発射制御基板３３１からバックアップ電力（データ記憶保持用電力）が供給されてデータが保持される構成となっている。
【０１２６】
払出制御基板３３２のＣＰＵ３４１には、アドレスバス及びデータバスで構成されるバスラインを介して入出力ポートが接続されている。払出制御基板３３２の入力側には、主制御回路３１２、電源及び発射制御基板３３１、及び裏パック基板１３６が接続されている。ちなみに、裏パック基板１３６を通じて、球無検知センサ１８６の検知結果及び球抜きボタン２０６の操作の有無が払出制御基板３３２に入力される。また、払出制御基板３３２の出力側には、主制御回路３１２及び裏パック基板１３６が接続されている。
【０１２７】
電源及び発射制御基板３３１は、電源部と発射制御部とを備えている。電源部は、二重線矢印で示す経路を通じて、主制御回路３１２や払出制御基板３３２等に対して各々に必要な動作電力を供給する。発射制御部は、遊技者による遊技球発射ハンドル８４の操作にしたがって遊技球発射機構８０の発射制御を担うものであり、遊技球発射機構８０は所定の発射条件が整っている場合に駆動される。
【０１２８】
また、電源及び発射制御基板３３１には、バックアップ電源部３３１ａが設けられている。バックアップ電源部３３１ａはコンデンサからなり、パチンコ機１０の電源がＯＮ状態の場合（外部電源からの電力供給が行われている場合）に充電される。また、パチンコ機１０の電源がＯＦＦ状態の場合や商用電源における停電発生時といった電源遮断状態（外部電源からの電力供給が遮断されている場合）では、バックアップ電源部３３１ａから放電され主制御回路３１２のＲＡＭ３２３及び払出制御基板３３２のＲＡＭ３４３に対してバックアップ電力が供給される。よって、かかる状況であっても、バックアップ電源部３３１ａからバックアップ電力が供給されている間は、各ＲＡＭ３２３，３４３に記憶された情報が消去されることなく記憶保持される。
【０１２９】
ちなみに、バックアップ電源部３３１ａの容量は比較的大きく確保されており、電源遮断前に各ＲＡＭ３２３，３４３に記憶されていた情報は所定の期間内（例えば、１日や２日）保持される。また、バックアップ電源部３３１ａは、コンデンサに限定されることはなく、バッテリや非充電式電池などであってもよい。非充電式電池の場合、パチンコ機１０の電源がＯＮ状態の際に電断時用電源手段への蓄電を行う必要はないが、定期的に交換する必要が生じる。
【０１３０】
音声ランプ制御基板３３４は、環状電飾部９２、エラー表示ランプ部９３、スピーカ部９４及び表示制御装置１０１を制御するものである。演算装置であるＣＰＵ３５１は、そのＣＰＵ３５１により実行される制御プログラムや固定値データ等を記憶したＲＯＭ３５２と、ワークメモリ等として使用されるＲＡＭ３５３とを備えている。
【０１３１】
音声ランプ制御基板３３４のＣＰＵ３５１にはアドレスバス及びデータバスで構成されるバスラインを介して入出力ポートが接続されている。音声ランプ制御基板３３４の入力側には中継端子板３３３に中継されて主制御回路３１２が接続されており、主制御回路３１２から出力される各種コマンドに基づいて、環状電飾部９２、エラー表示ランプ部９３、スピーカ部９４及び表示制御装置１０１を制御する。表示制御装置１０１は、音声ランプ制御基板３３４から入力する表示コマンドに基づいて図柄表示装置７１を制御する。
【０１３２】
次に、主制御回路３１２のＣＰＵ３２１により実行される各制御処理を図２４〜図２７のフローチャート等を参照しながら説明する。かかるＣＰＵ３２１の処理としては大別して、電源投入に伴い起動されるメイン処理と、定期的に（本実施形態では２ｍｓｅｃ周期で）起動されるタイマ割込み処理と、ＮＭＩ端子（ノンマスカブル端子）への停電信号の入力により起動されるＮＭＩ割込み処理とがあり、説明の便宜上、はじめにＮＭＩ割込み処理とタイマ割込み処理とを説明し、その後メイン処理を説明する。
【０１３３】
図２４は、ＮＭＩ割込み処理であり、当該処理は、停電の発生等によるパチンコ機１０の電源遮断時に実行される。すなわち、停電の発生等によりパチンコ機１０の電源が遮断されると、停電信号が停電監視回路３１３からＣＰＵ３２１のＮＭＩ端子に出力され、ＣＰＵ３２１は実行中の制御を中断してＮＭＩ割込み処理を開始する。ＮＭＩ割込み処理では、ステップＳ１０１にてＲＡＭ３２３に設けられた停電フラグ格納エリアに停電フラグをセットし、本処理を終了する。その後、後述する通常処理にて停電フラグがセットされていることが確認されることで、停電時処理が実行される。
【０１３４】
次に、タイマ割込み処理について図２５のフローチャートを用いて説明する。
先ずステップＳ２０１では、各種スイッチや払出制御基板３３２などからの信号読み込み処理を実行する。ここで、信号読み込み処理では、一般入賞口センサ３２５、カウントセンサ３２６、上作動口センサ３２７及び下作動口センサ３２８から遊技球を検知している旨の検知結果を入力しているか否かを特定し、その特定結果に基づいて賞球コマンドのセットを行う処理を実行する。具体的には、一般入賞口センサ３２５の検知結果に基づいて一般入賞口６２への遊技球の入球を特定した場合には１０個賞球コマンドをセットする。また、カウントセンサ３２６の検知結果に基づいて可変入賞装置６３への遊技球の入球を特定した場合には１５個賞球コマンドをセットする。また、上作動口センサ３２７の検知結果に基づいて上作動口６４への遊技球の入球を特定した場合には３個賞球コマンドをセットする。また、下作動口センサ３２８の検知結果に基づいて下作動口６５への遊技球の入球を特定した場合には４個賞球コマンドをセットする。また、ファール球入賞検知センサ４７０の検知結果に基づいてファール球入賞口４０１への遊技球の入球を特定した場合には１個賞球コマンドをセットする。ここで、セットされた賞球コマンドは、後述する外部出力処理（ステップＳ４０１）にて払出制御基板３３２に出力される。
【０１３５】
その後、ステップＳ２０２では、始動入賞処理を実行する。始動入賞処理では、上作動口センサ３２７及び下作動口センサ３２８から入力した検知結果に基づいて、遊技球が上作動口６４又は下作動口６５に入球したか否かを判定する。そして、遊技球が上作動口６４又は下作動口６５に入球している場合には、第１特定ランプ部７３及び図柄表示装置７１の作動保留球数が上限値未満であることを条件として、その入球に対して大当たりを発生させるか否かの指標となるカウンタ値のＲＡＭ３２３への格納処理を実行する。当該カウンタ値が大当たりの発生に対応した値である場合には、その入球に対応した遊技回において大当たりが発生することとなる。つまり、始動入賞処理において、大当たりといった特別遊技状態への移行抽選機能（移行判定手段）が果たされる。
【０１３６】
始動入賞処理の後、ＣＰＵ３２１は本タイマ割込み処理を一旦終了する。なお、タイマ割込み処理において、大当たりを発生させるか否かの指標となるカウンタ値を更新する処理なども実行するようにしてもよい。
【０１３７】
次に、電源投入時のリセットに伴い起動されるメイン処理について、図２６のフローチャートを用いて説明する。
【０１３８】
先ずステップＳ３０１では、電源投入に伴う初期設定処理を実行する。具体的には、従側の制御基板（払出制御基板３３２等）が動作可能な状態になるのを待つために例えば１秒程度、ウェイト処理を実行する。続くステップＳ３０２では、ＲＡＭ３２３のアクセスを許可する。
【０１３９】
その後、ステップＳ３０３では、電源及び発射制御装置１４７に設けたＲＡＭ消去スイッチ１４９ａがオンされているか否かを判定し、続くステップＳ３０４ではＲＡＭ３２３の停電フラグ格納バッファに停電フラグが格納されているか否かを判定する。また、ステップＳ３０５ではＲＡＭ判定値を算出し、続くステップＳ３０６では、そのＲＡＭ判定値が電源遮断時に保存したＲＡＭ判定値と一致するか否か、すなわち記憶保持されたデータの有効性を判定する。ＲＡＭ判定値は、例えばＲＡＭ３２３の作業領域アドレスにおけるチェックサム値である。なお、ＲＡＭ３２３の所定のエリアに書き込まれたキーワードが正しく保存されているか否かにより記憶保持されたデータの有効性を判断することも可能である。
【０１４０】
上述したように、本パチンコ機１０では、例えばホールの営業開始時など、電源投入時にＲＡＭデータを初期化する場合にはＲＡＭ消去スイッチ１４９ａを押しながら電源が投入される。従って、ＲＡＭ消去スイッチ１４９ａが押されていれば、ステップＳ３０９〜Ｓ３１１の処理に移行する。また、電源遮断の発生情報が設定されていない場合や、ＲＡＭ判定値（チェックサム値等）により記憶保持されたデータの異常が確認された場合も同様にステップＳ３０９〜Ｓ３１１の処理に移行する。
【０１４１】
ステップＳ３０９では、従側の制御基板となる払出制御基板３３２等を初期化するために、払出初期化コマンド等を出力する。続くステップＳ３１０ではＲＡＭ３２３の使用領域を０にクリアし、ステップＳ３１１ではＲＡＭ３２３の初期化処理を実行する。その後、ステップＳ３１２にて割込み許可を設定し、後述する通常処理に移行する。
【０１４２】
一方、ＲＡＭ消去スイッチ１４９ａが押されていない場合には、停電フラグが格納されていること、及びＲＡＭ判定値（チェックサム値等）が正常であることを条件に、ステップＳ３０７に進む。ステップＳ３０７では、停電フラグ格納バッファに格納されている停電フラグをクリアし、ステップＳ３０８にて従側の制御基板を電源遮断前の遊技状態に復帰させるための復電コマンドを出力する。その後、ステップＳ３１２にて割込み許可を設定し、後述する通常処理に移行する。これにより、電源遮断前の状態に復帰する。
【０１４３】
次に、通常処理について、図２７のフローチャートを用いて説明する。この通常処理では遊技の主要な処理が実行される。
【０１４４】
通常処理において、ステップＳ４０１では、前回の処理で更新されたコマンド等の出力データを従側の各制御基板に出力する。具体的には、上述した信号読み込み処理にてセットされた賞球コマンドを払出制御基板３３２に対して出力する。また、図柄表示装置７１による第１図柄の変動表示に際して停止図柄コマンド、変動態様コマンド等を音声ランプ制御基板３３４に出力する。さらに、上述したファール球入賞口４０１への遊技球の入球により１個賞球コマンドがセットされている場合には、音声ランプ制御基板３３４へファール球入賞コマンドが出力される。ファール球入賞コマンドの入力により、音声ランプ制御基板３３４は、環状電飾部９２、スピーカ部９４、表示制御装置１０１などにより、遊技者に対してファール球の入賞と、払出装置１４６からの賞球１球が払い出されることを報知する。
なお、ファール球入賞コマンドは、ファール球の入賞や賞球１球の払い出しを遊技者に報知するだけではなく、様々な用途に利用することが可能である。例えば、ファール球入賞コマンドの出力に基づいて、遊技者が遊技球を意図的に弱く打って（所謂、チョロ打ちで）遊技を行っていると判断して、遊技者に表示制御装置１０１などにより報知（警告）したり、ホール管理者にホールコンピュータなどにより報知したりするように構成することも可能である。具体的には、遊技状態が通常遊技中である際に、遊技球の発射回数に対するファール球入賞コマンドの出力回数の比率が所定数よりも大きい場合や、所定の期間にファール球入賞コマンドの出力が所定回数あった場合などに、チョロ打ちによる遊技が行われていると判断するように構成することができる。
【０１４５】
この外部出力処理においては、遊技領域６１ａ外のファール球入賞口４０１への入賞による１個賞球コマンドを除き、遊技領域６１ａ内の各入賞口６２〜６５への入賞による各種賞球コマンドに基づいて加算された遊技球の払出賞球数が、所定の球数ごと（例えば１０球ごと）にパルス信号として、外部端子板１３１から遊技ホール側の管理装置に出力される。ファール球を下皿９６ａに戻す代わりとして遊技球を１球払い出すための１個賞球コマンドを、他の賞球コマンドと区別することにより、本来の払出賞球数をホールコンピュータにより把握することができる。なお、払出賞球数は、これに限らず種々の態様を採用することが可能であり、上述した払出検知センサ１９９及びファール球入賞検知センサ４７０の検知結果に基づいて算出することなども可能である。
【０１４６】
続くステップＳ４０２では、第１特定ランプ部７３に表示される色の切り替えを行うための第１特定ランプ部制御処理を実行する。第１特定ランプ部制御処理では、大当たり判定や第１特定ランプ部７３に配設されたＬＥＤランプの光源スイッチのオンオフ制御などが行われる。そして、第１特定ランプ制御処理では、始動入賞処理にて格納されたカウンタ値に基づいて大当たりを発生させると判定した場合、遊技状態を大当たり状態に移行させる。つまり、第１特定ランプ制御処理において、特別遊技状態への移行機能（移行手段）が果たされる。なお、第１特定ランプ部制御処理において、図柄表示装置７１による第１図柄の変動表示の設定も行われる。
【０１４７】
第１特定ランプ部制御処理の後は、ステップＳ４０３にて大入賞口開閉処理を実行する。大入賞口開閉処理では、大当たり状態である場合において可変入賞装置６３の大入賞口を開放又は閉鎖する。すなわち、大当たり状態のラウンド毎に大入賞口を開放し、大入賞
口の最大開放時間が経過したか、又は大入賞口に遊技球が規定数だけ入賞したかを判定する。この規定数だけ入賞したか否かの判定は、上述した大入賞口用カウンタを確認することにより行われる。そして、これら何れかの条件が成立すると大入賞口を閉鎖する。つまり、大入賞口開閉処理において、特別遊技状態の進行機能（進行手段）が果たされる。
【０１４８】
その後、ステップＳ４０４では、第２特定ランプ部７４に表示される色の切り替え処理を行うための第２特定ランプ部制御処理を実行する。第２特定ランプ制御処理では、ゲート保留球数が１以上であることを条件に第２特定ランプ部７４における表示色の切り換えを開始する。この際、表示色の切り換え時間も設定する。そして、下作動口６５に付随する電動役物６５ａを所定時間開放する場合には、第２特定ランプ部７４において所定の色の停止表示が行われる。
【０１４９】
ステップＳ４０４の後は、ステップＳ４０５にて、遊技球発射制御処理を実行する。遊技球発射制御処理では、電源及び発射制御基板３３１の発射制御部から発射許可信号を入力していることを条件として、所定期間（例えば、０．６ｓｅｃ）に１回、遊技球発射機構８０のソレノイド８１を励磁する。これにより、発射レール８２上にある遊技球が遊技領域６１ａに向けて打ち出される。
【０１５０】
続くステップＳ４０６では、ＲＡＭ３２３内に設けられた停電フラグ格納バッファに停電フラグが格納されているか否かを判定する。停電フラグが格納されていない場合は、繰り返し実行される複数の処理の最後の処理が終了したこととなるので、ステップＳ４０７にて次の通常処理の実行タイミングに至ったか否か、すなわち前回の通常処理の開始から所定時間（本実施形態では４ｍｓｅｃ）が経過したか否かを判定する。所定時間が経過していない場合には、ステップＳ４０６に戻り、所定時間が経過している場合には、ステップＳ４０１に戻る。
【０１５１】
一方、ステップ４０６にて、停電フラグが格納されている場合は、電源遮断が発生したことになるので、ステップＳ４０８以降の停電時処理を実行する。つまり、ステップＳ４０８では、タイマ割込み処理の発生を禁止する。続くステップＳ４０９では、電源が遮断されたことを示す停電コマンドを他の制御基板に対して出力する。そして、ステップＳ４１０にてＲＡＭ判定値を算出、保存し、ステップＳ４１１にてＲＡＭ３２３のアクセスを禁止した後に、電源が完全に遮断して処理が実行できなくなるまで無限ループを継続する。なお、電源が完全に遮断された後も、電源及び発射制御基板３３１のバックアップ電源部３３１ａからバックアップ電力が供給されるため、電源遮断前にＲＡＭ３２３に記憶されていた情報はそのままの状態で所定の期間内（例えば、１日や２日）保持される。
【０１５２】
次に、払出制御基板３３２のＣＰＵ３４１により実行される各制御処理を図２８〜図３１のフローチャートを参照しながら説明する。かかるＣＰＵ３４１の処理としては大別して、主制御回路３１２のＣＰＵ３２１からのコマンドの入力により起動される入力時割込み処理と、電源投入に伴い起動されるメイン処理と、定期的に（本実施の形態では２ｍｓｅｃ周期で）起動されるタイマ割込み処理とがあり、説明の便宜上、はじめに入力時割込み処理を説明し、その後、メイン処理、タイマ割込み処理の順で説明する。
【０１５３】
入力時割込み処理は、主制御回路３１２のＣＰＵ３２１からコマンドを入力した場合に後述する他の処理を中断して実行される。入力時割込み処理では、図２８のフローチャートに示すように、ステップＳ５０１にて主制御回路３１２のＣＰＵ３２１からのコマンドをＲＡＭ３４３のコマンド格納バッファに記憶し、その後、ステップＳ５０２にてＲＡＭ３４３に設けられたコマンド入力フラグ格納バッファにコマンド入力フラグを格納し、本処理を終了する。
【０１５４】
次に、払出制御基板３３２のＣＰＵ３４１に実行されるメイン処理を、図２９のフローチャートを用いて説明する。このメイン処理は、電源投入時のリセットに伴い起動される。
【０１５５】
まず、ステップＳ６０１では、電源投入に伴う初期設定処理を実行する。具体的には、割込みモードを設定する。そして、ステップＳ６０２に進んでＲＡＭアクセスを許可すると共に、ステップＳ６０３で外部割込みベクタの設定を行う。
【０１５６】
その後、ステップＳ６０４では、ＲＡＭ３４３の停電フラグ格納バッファに停電フラグが格納されているか否かを判定する。また、ステップＳ６０５ではＲＡＭ判定値を算出し、続くステップＳ６０６では、そのＲＡＭ判定値が電源遮断時に保存したＲＡＭ判定値と一致するか否か、すなわち記憶保持されたデータの有効性を判定する。ＲＡＭ判定値は、例えばＲＡＭ３４３の作業領域アドレスにおけるチェックサム値である。なお、ＲＡＭ３４３の所定のエリアに書き込まれたキーワードが正しく保存されているか否かにより記憶保持されたデータの有効性を判断することも可能である。
【０１５７】
停電フラグが格納されていない場合や、ＲＡＭ判定値（チェックサム値等）により記憶保持されたデータの異常が確認された場合はＲＡＭ３４３の初期化処理（ステップＳ６１１〜Ｓ６１３）に移行する。つまり、ステップＳ６１１ではＲＡＭ３４３の全領域を０にクリアし、続くステップＳ６１２ではＲＡＭ３４３の初期化処理を実行する。また、ステップＳ６１３ではＣＰＵ周辺デバイスの初期設定を行う。
【０１５８】
一方、停電フラグが格納されており、さらにＲＡＭ判定値（チェックサム値等）が正常である場合は、復電時の処理（停電による電源遮断後の復旧時の処理）を実行する。つまり、ステップＳ６０７にて停電フラグをクリアすると共に、ステップＳ６０８にて賞球の払出を許可する払出許可フラグをクリアする。また、ステップＳ６０９ではＣＰＵ周辺デバイスの初期設定を行う。なお、ＲＡＭ判定値は、例えばＲＡＭ３４３の作業領域アドレスにおけるチェックサム値である。
【０１５９】
ステップＳ６０９又はステップＳ６１３の処理の後は、ステップＳ６１０にて割込みを許可し、ステップＳ６１４にてＲＡＭ３４３の停電フラグ格納バッファに停電フラグが格納されているか否かを判定し、停電フラグが格納されていなければ、停電フラグが格納されるまで待機する。
【０１６０】
一方、停電フラグが格納されている場合には、停電が発生したことになるので、停電時処理としてステップＳ６１５移行の処理を実行する。停電時処理では、先ずステップＳ６１５にて各割込み処理の発生を禁止する。その後、ステップＳ６１６にてＲＡＭ判定値を算出、保存し、ステップＳ６１７にてＲＡＭ３４３のアクセスを禁止して、電源が完全に遮断して処理が実行できなくなるまで無限ループを継続する。なお、電源が完全に遮断された後も、電源及び発射制御基板３３１からＲＡＭ３４３のデータ記憶保持用電力が供給されるため、電源遮断前にＲＡＭ３４３に記憶されていた情報は所定の期間内（例えば、１日や２日）保持される。
【０１６１】
ここで、本メイン処理では、ステップＳ６０１〜ステップＳ６１３の通常時における一連の処理の終了後に、停電フラグが格納されているか否か（電源遮断が発生したか否か）を判定しているので、各処理の途中の状態で停電時処理が実行されることがない。これにより、電源遮断発生時においてＲＡＭ３４３に記憶するデータ量を極力少なくすることができ、さらには電源遮断前の状態に復帰する場合には、処理の途中から開始する必要はなく、払出制御基板３３２の処理の負担を軽減することができる。
【０１６２】
次に、払出制御基板３３２のＣＰＵ３４１により例えば２ｍｓｅｃ毎に実行されるタイマ割込み処理について、図３０のフローチャートを用いて説明する。
【０１６３】
先ずステップＳ７０１では、主制御回路３１２のＣＰＵ３２１から入力したコマンドの判定を行うコマンド判定処理を実行する。このコマンド判定処理では、図３１に示すように、ステップＳ８０１にて、ＲＡＭ３４３のコマンド入力フラグ格納バッファにコマンド入力フラグが格納されているか否かを判定する。コマンド入力フラグが格納されていない場合は、新たなコマンドが主制御回路３１２のＣＰＵ３２１から出力されていないので、そのまま本処理を終了する。一方、コマンド入力フラグが格納されていた場合は、ステップＳ８０２にてコマンド読出し処理を実行する。コマンド読出し処理では、入力したコマンドをＲＡＭ３４３のコマンドバッファから読出し、さらにコマンド入力フラグをクリアする。
【０１６４】
その後、読み出されたコマンドの種類を、ステップＳ８０３、ステップＳ８０５、ステップＳ８１０及びステップＳ８１１の各処理にて判定し、各コマンドに対応した処理を実行する。つまり、ステップＳ８０３では、停電コマンドであるか否かを判定し、当該コマンドである場合には、ステップＳ８０４にてＲＡＭ３４３の停電フラグ格納バッファに停電フラグを格納して、本処理を終了する。
【０１６５】
ステップＳ８０５では、払出初期化コマンドであるか否かを判定し、当該コマンドである場合には、電源投入時に主制御回路３１２のＣＰＵ３２１からＲＡＭ３４３の初期化が指示されていることになるので、ステップＳ８０６〜ステップＳ８０９の処理を実行した後に本処理を終了する。ステップＳ８０６では、ＲＡＭ３４３に設けられた払出許可フラグ格納バッファに払出許可フラグが格納されているか否かを判定し、当該フラグが格納されていない場合は、ステップＳ８０７にてＲＡＭ３４３の作業領域を０にクリアし、さらにステップＳ８０８にてＲＡＭ３４３の初期値を設定する。その後、ステップＳ８０９にて払出許可フラグを格納することで、賞球の払出が許可される。
【０１６６】
なお、ステップＳ８０６において払出許可フラグが格納されている場合は、ステップＳ８０７及びステップＳ８０８の処理を行うことなく本処理を終了する。かかる構成とすることにより、ＲＡＭ消去スイッチ１４９ａが押されていないにも関わらずノイズなどの原因で払出初期化コマンドの入力を認識したとしても、その際に残っている賞球が遊技者に払い出されることなく消去されることを防止できる。
【０１６７】
ステップＳ８１０では、復電コマンドであるか否かを判定し、当該コマンドである場合には、払出制御基板３３２が停電による電源遮断の前の状態に復帰するので、ステップＳ８０９にて払出許可フラグを格納した後に本処理を終了する。かかる構成とすることにより、電源遮断前に賞球が残っていた場合に当該賞球を即座に払い出すことができる。
【０１６８】
ステップＳ８１１では、賞球コマンドである否かを判定し、当該コマンドである場合には、ステップＳ８１２にて賞球コマンドに対応した賞球個数を総賞球個数に加算した後に、ステップＳ８０９にて払出許可フラグを格納し本処理を終了する。
【０１６９】
タイマ割込み処理（図３０）の説明に戻り、コマンド判定処理を実行した後は、ステップＳ７０２にて払出許可フラグが格納されているか否かを判定する。払出許可フラグが格納されていない場合は、そのまま本処理を終了する。一方、払出許可フラグが格納されている場合は、ステップＳ７０３にて状態復帰スイッチ１４８ａをチェックして、状態復帰動作開始と判定した場合に状態復帰動作を実行する。
【０１７０】
また、ステップＳ７０４では、タンク球の状態の変化に応じてタンク球無し状態又はタンク球無し解除状態の設定を実行する。すなわち、球無検知センサ１８６の検知結果によりタンク１３２の球無状態を判定し、球無状態であると判定した場合には球無状態の設定を実行し、球無状態でなくなった場合には球無状態の設定を解除する。
【０１７１】
本パチンコ機１０では、払出制御装置１４６のＲＡＭ３４３に期間計測手段としてカウンタエリアが設けられており、球無検知センサ１８６から球無状態である旨の検知結果を入力している場合、カウンタエリアにてその入力継続期間が計測される。そして、入力継続期間が１ｓｅｃに達した時点で払出装置１３５の払出速度をそれまでよりも遅い低速周期に変更する。例えば、通常周期は６０ｍｓｅｃに１個の遊技球を払い出す周期であり、低速周期は１．２ｓｅｃに１個の遊技球を払い出す周期である。また、低速周期で遊技球の払出を実行している状況であって、上記入力継続期間が１０ｓｅｃに達した場合には払出装置１３５が停止されるとともにその状態が維持されるように規制される。ステップＳ７０４では、上記入力継続期間が１ｓｅｃに達した時点で、ＲＡＭ３４３に低速設定フラグを格納するとともに、上記入力継続期間が１０ｓｅｃに達した時点で、賞球の払出不可状態の設定を行う。なお、期間計測手段としてカウンタエリアに代えて、リアルタイマを設けてもよい。
【０１７２】
また、払出装置１３５の払出速度が低速周期である状況及び遊技球の払出が停止されている状況において球無状態である旨の検知結果が途切れることで、これら球無状態の設定が解除される。これにより、上記低速状態及び上記賞球の払出不許可状態が解除される。
【０１７３】
ここで、球無状態となったことに基づいて払出装置１３５の払出動作を停止させることで、球無状態であるにも関わらず、払出装置１３５が払出動作を続けてしまうことが防止される。
【０１７４】
また、払出装置１３５の払出動作を停止させる前段階で払出速度を低速周期に変更させたことにより、以下の効果が得られる。つまり、大当たり状態などのように多数の遊技球が短時間で払い出される場合、タンク１３２から上下通路ユニット１３４側への遊技球の流入が遅れることがある。この場合に、払出速度を低速周期に変更させない構成を想定すると、球無検知センサ１８６よりも下流側にある遊技球の払出が即座に完了してしまい、実際には大当たり状態に対する賞球数の情報が未だ残っているにも関わらず、遊技球の払出が停止されてしまう。そうすると、遊技者は大当たり状態における遊技球の払出が完了したと勘違いし、パチンコ機１０から離れてしまう可能性がある。これに対して、上記のように払出速度を低速周期に変更させることで、上記状況となった場合には球無検知センサ１８６よりも下流側にある遊技球がゆっくりと払い出され、その間にタンク１３２から上下通路ユニット１３４側へ遊技球が流入する可能性が高まる。よって、上記のような不都合が発生する可能性が低減される。
【０１７５】
タイマ割込み処理（図３０）の説明に戻り、ステップＳ７０４の後は、ステップＳ７０５にて、報知する状態の有無を判定し、報知する状態が有る場合には払出制御装置２４２に設けた７セグメントＬＥＤにより報知する。
【０１７６】
ステップＳ７０６〜Ｓ７０９では、賞球払出の処理を実行する。先ずステップＳ７０６では、球抜きボタン２０６が操作されているか否かを判定する。球抜きボタン２０６が操作されていない場合には、ステップＳ７０７にて賞球の払出不可状態であるか否かを判定する。賞球の払出不可状態である場合にはＲＡＭ３４３に賞球数の情報が記憶されているか否かに関係なく、賞球払出の処理を終了する。この場合、図示は省略するが、払出モータ１９８の駆動制御が行われている場合にはその駆動制御を停止させ遊技球の払出を停止させる。
【０１７７】
球抜きボタン２０６が操作されておりステップＳ７０６にて肯定判定をした場合又は賞球の払出不許可状態ではなくステップＳ７０７にて否定判定をした場合には、ステップＳ７０８にてＲＡＭ３４３に賞球数の情報が記憶されているか否かを判定する。賞球数の情報が記憶されている場合には、ステップＳ７０９に進み、賞球制御処理を開始する。
【０１７８】
賞球制御処理では、払出装置１３５を駆動制御の開始又は払出速度の設定を実行する。賞球数の情報が記憶されていない場合には、賞球の払出処理を終了する。この場合、図示は省略するが、払出モータ１９８の駆動制御が行われている場合にはその駆動制御を停止させ遊技球の払出を停止させる。
【０１７９】
賞球の払出処理を終了した後は、ステップＳ７１０〜Ｓ７１２の貸球払出の処理に移行する。貸球払出の処理において、貸球の払出不可状態でなく且つ貸球払出要求を入力していれば（ステップＳ７１０がＮＯ、Ｓ７１１がＹＥＳ）、ステップＳ７１２に進み、貸球制御処理を開始する。貸球制御処理では、払出装置１３５を駆動制御し、貸球払出要求に対応した数の遊技球を払い出す。また、貸球の払出不可状態又は貸球払出要求を入力していなければ（ステップＳ７１０がＹＥＳ又はＳ７１１がＮＯ）、ステップＳ７１３に進む。
【０１８０】
ステップＳ７１３では、球詰まり状態であることを条件にタンク１３２に設けられたバイブレータの制御（バイブモータ制御）を実行する。その後、本タイマ割込み処理を終了する。
【０１８１】
本発明の遊技機１０は、ファール球をファール球入賞口４０１，４０１ｘから遊技機１０外部に排出し、ファール球自体を遊技者に返却する代わりに払出装置１３５から賞球１個を上皿９５ａに払い出すように構成されている。上皿９５ａに払い出されるので、ファール球が発生した場合でもそれを下皿９６ａから上皿９５ａに移動させる必要がなく、遊技を円滑に行うことができる。また、ファール球が入賞した際には、遊技者に報知されるので、遊技者はファール球が賞球という形で返却されることを認識することができる。なお、遊技者への報知はファール球の入賞の検知によるものに限らず、例えば、１個賞球の払い出しの検知によるものとしてもよく、ファール球が賞球という形で返却されること又は返却されたことを遊技者が認識できればよい。
【０１８２】
ファール球入賞口４０１，４０１ｘのファール球用貫通孔４１０を、遊技盤６１自体に設けることにより、ファール球入賞検出センサ４７０を遊技盤６１の背面側に設けることができ、その背面側に設置される主制御装置１０７に容易に接続することができる。また、ファール球入賞口４０１，４０１ｘを、発射球誘導通路６１ｐの途中位置の下方に設けることにより、ファール球を早期に発射球誘導通路６１ｐ内から退けることができるので、次に発射される遊技球との衝突を少なくすることができる。また、ファール球入賞検知センサ４７０をファール球排出樋４８０の上端部に設け、ファール球の入賞を早期に検知するので、代替の遊技球（賞球）をすぐに遊技者に払い出すことができ、遊技を円滑に進行させることができる。
【０１８３】
ファール球入賞口４０１，４０１ｘは、到達可能最下位置Ｌよりも下端側に設けられているので、遊技領域６１ａに到達する到達最低強度以上で発射された遊技球の動きを妨げることがない。また、到達最低強度よりも弱い強度で発射され、ファール球となる遊技球については、左側減速部４４０又は右側減速部４５０によりその移動速度を減速させることができるので、より短い時間で、また、より確実にファール球入賞口４０１，４０１ｘに入賞させることができる。よって、ファール球とその次に発射される遊技球とが衝突する虞を小さくすることができる。
また、１個賞球コマンドを他の賞球コマンドと区別できる構成とすることにより、本来の払出賞球数の情報を外部端子板１３１の外部出力端子からホールコンピュータに出力し、ホールの経営管理に活用することができる。
【０１８４】
なお、本発明は、ファール球が流入するファール球入賞口のファール球用貫通孔を遊技盤に設け、ファール球の代わりに賞球１個を遊技者に払い出す構造であれば、上述した実施例に限定されず、本発明の要旨を逸脱しない範囲で種々変更できることは勿論である。
【０１８５】
以下、上述した実施の形態から抽出される発明群の特徴について、必要に応じて効果等を示しつつ説明する。なお、実施例で示した構成要素との対応がわかるように明示しているが、明示した構成に限定されず、発明の要旨を逸脱しない範囲で種々変更が可能である。
【０１８６】
遊技機Ａ
遊技機Ａは、遊技球を使用して遊技をするパチンコ機等の遊技機に関する。
【０１８７】
従来、遊技機の一種であるパチンコ機には、遊技球が流下する遊技領域が前面側に設けられている。遊技球は、遊技者の発射操作に基づいて発射レール上から発射され、誘導通路を形成するレール部材により遊技領域の上部に誘導される。遊技球が遊技領域内に設けられた各種入賞口に入球すると、所定の個数の遊技球（賞球）が払出装置から受け皿に払い出される。
【０１８８】
遊技中には、発射された遊技球が遊技領域まで到達せずに誘導通路を逆流することがある。逆流した遊技球や誘導通路まで届かなかった遊技球（以下、これらをファール球という）は、誘導通路と発射レールの間のファール球回収口により回収され受け皿に戻されて、遊技者に返却される。ここで、パチンコ機には、貯留された遊技球を遊技球発射機構側に自然に流れるように導く上皿と、上皿から余剰となった遊技球を移動させて貯留できる下皿の２つが設けられているものがある。このようなパチンコ機では、払出装置からの賞球は基本的に上皿に払い出され、ファール球は下皿に戻されるように構成されている。
【０１８９】
ファール球が下皿に戻される理由としては、迫力ある演出のために遊技盤の遊技領域を大きくすると必然的にファール球回収口が下方に下がるため、その位置的な関係により上方の上皿に戻すことが困難であることが挙げられる。また、ファール球を下皿に戻すことにより、上皿に払い出される賞球に紛れることがないので、遊技者がファール球の返却を確認しやすいという効果もある。さらに、遊技終了時、上皿用の球抜きボタンを操作しても遊技球発射機構側に誘導されて返却されない遊技球を、ファール球回収口から下皿に戻すことによって、遊技者が回収しやすくすることなどが挙げられる。しかし、下皿に戻されたファール球を再度発射させるためには、発射操作をしていない片方の手で上皿に移す必要があり、遊技者にとって煩わしいものであった。そのため、ファール球を下皿から上皿に移す必要のない遊技機が提案されている。
【０１９０】
例えば、特許文献１の特開平７−８０１４１号の「弾球遊技機」は、球タンクと、この球タンク内に貯留されたパチンコ球が流下する導出樋と、この導出樋を流下するパチンコ球を１球づつ払い出すことができる球払出装置と、この球払出装置から払い出されたパチンコ球が流下する流下樋と、この流下樋の下端から分岐して下方に延びた払出樋および回収樋と、払出樋の途中の樋内部に開口した上皿払出口と、回収樋の下端に設けられ、回収樋を流下するパチンコ球を遊技機の外部に排出するための球出口と、遊技盤の下方で上方に開口したファール孔とを有した弾球遊技機において、上記弾球遊技機は、上記ファール孔から延びて上記回収樋の途中に接続され、ファール孔に投入されたファール球を上記球出口に導くファール樋と、このファール樋の途中に設けられ、ファール樋を流下するファール球を検出して検出信号を出力するファール球検出器と、このファール球検出器からの検出信号を入力するたびに、パチンコ球を１球づつ流下樋に払い出すための制御信号を上記球払出装置に出力する払出装置制御回路とを備えたことを特徴とする。
【特許文献１】特開平７−８０１４１号公報
【０１９１】
特許文献１の「弾球遊技機」は、ファール球を検出しながら遊技機の外部に排出し、検出のたびに別の遊技球を球払出装置から上皿に払い出すものである。ファール球に代わる遊技球が上皿に払い出されるので、ファール球を下皿から上皿に移す手間を省くことができる。しかしながら、ファール球を回収するファール孔及び回収されたファール球を検出するファール球検出器がそれぞれ遊技盤の下方に設けられている。そのため、ファール球検出器と接続される払出装置制御回路（主制御装置）が遊技盤の背面側に設置されている場合には、これらの接続が複雑になるという問題があった。
【０１９２】
本発明は、上述した問題を解決するために創案されたものである。すなわち本発明の目的は、ファール球が入賞すると賞球１個を払い出すファール球入賞口を遊技盤に設けることにより、遊技盤の背面側に設置される主制御装置との接続を容易に行うことができる遊技機を提供することにある。
【０１９３】
遊技機Ａ１は、
遊技球が流下する遊技領域（遊技領域６１ａ）と該遊技領域に遊技球を誘導するための発射球誘導通路（発射球誘導通路６１ｐ）とが形成された遊技盤（遊技盤６１）と、
前記発射球誘導通路内に向けて遊技球を発射する発射装置（発射装置８１）と、
前記発射装置により発射されたにもかかわらず、前記遊技領域に到達せず前記発射球誘導通路を逆流するファール球が流入可能なファール球入賞口（ファール球入賞口４０１，４０１ｘ）と、
前記ファール球入賞口へのファール球の入賞を検知するファール球入賞検知手段（ファール球入賞検知センサ４７０）と、
前記ファール球入賞口への入賞が検知された際に、賞球を払い出す払出装置（払出装置１３５）と、
前記ファール球入賞検知手段の検知結果に基づいて所定数の賞球を払い出すように前記払出装置を制御する制御装置（主制御装置１０７）と、を備え、
前記ファール球入賞口は、前記遊技盤を貫通するファール球用貫通孔（ファール球用貫通孔４１０）を有し、
前記制御装置は、前記遊技盤の背面側に設けられ、ファール球入賞口にファール球が入賞した際には、該ファール球を返却する代わりに、前記払出装置から賞球を１球払い出すように制御する、ことを特徴とする遊技機。
遊技機Ａ１によれば、遊技者に、ファール球の代替球として賞球１個を上皿に払い出すので、ファール球を上皿に移す手間が省け、遊技を円滑に行うことができる。ファール球入賞口のファール球用貫通孔が遊技盤に形成され、ファール球の入賞を検出する検出手段を遊技盤の背面側に設けることができるので、遊技盤の背面側に配設される制御装置と容易に接続することができる。
【０１９４】
遊技機Ａ２は、前記ファール球入賞口は、前記発射球誘導通路の途中位置の下方に設けられている、ことを特徴とする遊技機Ａ１の遊技機。
遊技機Ａ２によれば、ファール球を早期に発射球誘導通路内から退けることができるので、次に発射される遊技球との衝突を少なくして、遊技を円滑に進行させることができる。
【０１９５】
遊技機Ａ３は、
前記発射球誘導通路の外縁部は、発射された遊技球を前記誘導領域の上部へ導く誘導部材（外レール７８）により形成されており、
前記ファール球入賞口は、前記遊技領域に到達するための最低の打ち出し強さである到達最低強度以上の打ち出し強さで発射された遊技球が、前記誘導部材に最初に当たる到達可能最下位置（到達可能最下位置Ｌ）よりも、下端側に設けられている、ことを特徴とする遊技機Ａ２の遊技機。
遊技機Ａ３によれば、遊技領域に到達する到達最低強度以上で発射された遊技球の移動を妨げることなく、ファール球を発射球誘導通路内から退けることができる。
【０１９６】
遊技機Ａ４は、
前記到達可能最下位置と前記ファール球入賞口との間に、前記到達最低強度よりも弱い打ち出し強さで発射されたファール球となる遊技球の移動速度を減ずる減速部（左側減速部４４０）が設けられている、ことを特徴とする遊技機Ａ３の遊技機。
遊技機Ａ４によれば、ファール球の移動速度を減速させることにより、ファール球の移動距離を少なくすることができるので、ファール球の入賞を早めることができ、次に発射される遊技球との衝突の可能性を減ずることすることができる。また、逆流するファール球が、ファール球入賞口を飛び越えてしまうことを防ぐことができるので、より確実にファール球をファール球入賞口に入賞させることができる。
【０１９７】
遊技機Ａ５は、
ファール球の入賞を報知するファール球入賞報知手段（環状電飾部９２、エラー表示ランプ部９３、スピーカ部９４、表示制御装置１０１）をさらに備え、
前記制御装置は、前記ファール球入賞検知手段がファール球の入賞を検知した際には、前記ファール球入賞報知手段によりファール球の入賞を報知するように制御する、ことを特徴とする遊技機Ａ１、Ａ２、Ａ３又はＡ４の遊技機。
遊技機Ａ５によれば、遊技者はファール球が賞球という形で返却されることを認識することができる。
【産業上の利用可能性】
【０１９８】
本発明は、主に遊技球を遊技媒体とするパチンコ機などの遊技機に利用することができるが、通路内を通る球状部材を回収するものであれば、これ以外の様々な機器に利用することができる。
【符号の説明】
【０１９９】
１０  遊技機（パチンコ機）
６１  遊技盤
６１ａ  遊技領域
６１ｐ  発射球誘導通路
６２  一般入賞口
６３  可変入賞装置
６４  上作動口
６５  下作動口
６６  スルーゲート
７７  内レール
外７８  レール
７７ａ  内誘導レール部
７８ａ，７８ｘ  外誘導レール部
７８ｂ  分断部
７８ａ１  上側外誘導レール部
７８ａ２  下側外誘導レール部
８０  遊技球発射機構
８１  発射装置発射
８２  レール
８３  球送り
８４  遊技球発射ハンドル
９１  窓パネル部
９２  環状電飾部
９３  エラー表示ランプ部
９４  スピーカ部
９５ａ  上皿
９６ａ  下皿
１０１  表示制御装置
１０３  音声ランプ制御装置
１０５  主制御装置ユニット
１０７  主制御装置
１３１  外部端子板
１３５  払出装置
１４４  排出通路
１５０  ファール球回収口
２８１  ファール球用開口部
２８０  ファール球用下皿通路部
３２５〜３２８  入賞検知センサ，
４０１，４０１ｘ  ファール球入賞口
４１０  ファール球用貫通孔
４２０  本体部
４２１，４２１ｘ  受け部
４２１ａ  開口部
４２１ｂ  排出口
４２１ｃ  凸部
４２３  装飾部
４２５  取付部
４４０，４４０ｘ  左側減速部
４４１，４４２  左遊技釘
４５０  右側減速部
４５１，４５２  右遊技釘
４６０  弾力材
４７０  ファール球入賞検知センサ
４８０  ファール球排出樋
Ｌ  到達可能最下位置
【図１】
0006474027.tif 000002
【図２】
0006474027.tif 000003
【図３】
0006474027.tif 000004
【図４】
0006474027.tif 000005
【図５】
0006474027.tif 000006
【図６】
0006474027.tif 000007
【図７】
0006474027.tif 000008
【図８】
0006474027.tif 000009
【図９】
0006474027.tif 000010
【図１０】
0006474027.tif 000011
【図１１】
0006474027.tif 000012
【図１２】
0006474027.tif 000013
【図１３】
0006474027.tif 000014
【図１４】
0006474027.tif 000015
【図１５】
0006474027.tif 000016
【図１６】
0006474027.tif 000017
【図１７】
0006474027.tif 000018
【図１８】
0006474027.tif 000019
【図１９】
0006474027.tif 000020
【図２０】
0006474027.tif 000021
【図２１】
0006474027.tif 000022
【図２２】
0006474027.tif 000023
【図２３】
0006474027.tif 000024
【図２４】
0006474027.tif 000025
【図２５】
0006474027.tif 000026
【図２６】
0006474027.tif 000027
【図２７】
0006474027.tif 000028
【図２８】
0006474027.tif 000029
【図２９】
0006474027.tif 000030
【図３０】
0006474027.tif 000031
【図３１】
0006474027.tif 000032